(57)【要約】  本発明は、送達助剤としてデキストランを含む有益剤送達粒子を含む組成物を提供する。有益剤送達粒子には、さらに非多糖ポリマー、好ましくはアミノプラストポリマーが含まれたものであり得る。有益剤送達粒子は香料を含むものであり得る。また、本発明は、乳化重合を用いてコア−シェル粒子を形成して香油を封入し（択一例では後で香料を吸着させてもよい）、送達助剤の存在下で該コアシェル−粒子の外部表面上にさらなるポリマー層を形成する、粒子の製造方法を提供する。【選択図】なし【特許請求の範囲】
【請求項１】
デキストランを含む１種類以上の送達助剤を外部表面に有する有益剤送達粒子。
【請求項２】
デキストランが５ｋＤを超える、好ましくは２０ｋＤを超える分子量を有するものである、請求項１または２に記載の粒子。
【請求項３】
さらに非多糖ポリマー、好ましくはアミノプラストポリマーが含まれている、請求項１または２のいずれかに記載の粒子。
【請求項４】
香料が含まれている、請求項１〜３のいずれかに記載の粒子。
【請求項５】
コアとシェルを備えている、請求項１〜４のいずれかに記載の粒子。
【請求項６】
ａ）請求項１〜５のいずれか一項に記載の粒子、ならびに
ｂ）ヘミセルラーゼ、セルラーゼ、ポリガラクツロナーゼ、キシラナーゼ、ペクチナーゼ、マンナーゼ、ペクチン酸リアーゼ、リグニナーゼ、プルラナーゼ、ペントサナーゼ、アラビノシダーゼ、ヒアルロニダーゼ、コンドロイチナーゼ、ラッカーゼ、グリコシルヒドロラーゼおよびアミラーゼまたはその混合物を含む群から選択される酵素
を含む組成物。
【請求項７】
ａ）請求項１〜５のいずれか一項に記載の粒子、
ｂ）少なくとも１種類のアニオン性または非イオン性界面活性剤、および
ｃ）セルラーゼ、マンナーゼおよびその混合物から選択される酵素
を含む洗濯物トリートメント組成物。
【請求項８】
液状物またはゲル状物である、請求項７に記載の洗濯物トリートメント組成物。
【請求項９】
ａ）請求項１〜５のいずれか一項に記載の粒子、
ｂ）少なくとも１種類のアニオン性または非イオン性界面活性剤
を含むヘアトリートメント組成物。
【請求項１０】
ａ）乳化重合を用いてコア−シェル粒子を形成して香油を封入し、
ｂ）デキストランの存在下で該コアシェル−粒子の外部表面上にさらなるポリマー層を形成する、
請求項１〜５のいずれか一項に記載の有益剤送達粒子の作製方法。
【発明の詳細な説明】
【技術分野】
【０００１】
本発明は、表面処理組成物、より詳しくは、有益剤（優先的には香料）および沈着助剤を含む粒子を含む組成物に関する。また、本発明は、例えば、洗濯時の衣類、または人体基材（ｓｕｂｓｔｒａｔｅ）表面、例えば、皮膚またはより好ましくは毛髪への有益剤（好ましくは香料）の送達に関する。
【背景技術】
【０００２】
本発明を、具体的に有益剤として香料に関して説明するが、本技術は、表面処理法に使用される他の有益剤にも適用可能であると考えられる。
【０００３】
洗濯用途では、香料の沈着が、例えば、衣類の洗浄およびコンディショニングなどの衣類トリートメントプロセスの際に使用される。沈着方法は多様であり、洗濯プロセスの洗浄もしくはすすぎ段階中での沈着、または洗浄前もしくは洗浄後での噴霧もしくは擦り込み、あるいはタンブル乾燥時における含浸シートもしくはスチームアイロンがけの際の水分添加剤の使用などによる直接沈着が挙げられる。香料は、担体または送達システム中に組み込まれることがよくある。香料の担体系は、典型的には、マトリックス内への香料の封入または閉じ込めを基本としたものである。
【０００４】
表面上への沈着後、界面活性剤含有環境では、該表面への香料の付着寿命が本質的に不充分であるという問題が存在する。衣類上に沈着した香料はメイン洗浄時に再度洗い流され得るか、または該香料は、その担体から洗浄液中に浸出し得る。したがって、表面上に沈着する前または沈着した後での香料の保護が必要とされる。ほぼ同じ問題が、香料のような、典型的には比較的高価であり洗濯用組成物中に比較的低レベルで存在する他の有益剤でもみられる。
【０００５】
同様の問題が、香料および／または他の有益剤を皮膚上または毛髪上に沈着させる皮膚および毛髪用トリートメントの分野でも存在する。
【０００６】
国際公開第０７／６２８３３号は、大部分がセルロースである多糖で修飾されたコア−シェル封入香料粒子を含む組成物に関するものである。これに開示された好ましい多糖は、イナゴマメガム、タマリンドキシログルカン、グアーガムまたはその混合物である。このように、有益剤（香料）を含む粒子であって、この粒子が特定の基材に結合するのを補助するための送達助剤として実質的にセルロースであるの多糖が使用された該粒子を得ることは既知である。また、該組成物に１種類以上の酵素を含めてもよい。この参考文献に開示された好適な酵素としては、とりわけ、セルラーゼとして知られているものが挙げられる。
【０００７】
セルラーゼという用語は、さまざまな基材に対して可能な一連の反応を示す類型の酵素をいう。実質的にセルロースである多糖に伴う問題の１つは、一般的にセルロースと同様の構造を有し、そのため「セルラーゼ」による攻撃を受けやすいことである。
【０００８】
同様の有益剤送達助剤が、いわゆる泥汚れ放出ポリマーと同様のフタレート含有ポリマーを主体とするポリエステルで提案されている。このようなフタレートポリマーは加水分解の問題が起こりやすく、綿には現実的でない。
【０００９】
いくつかの文献に、セルロース系物質は、泥汚れ放出ポリマーおよび再沈着防止薬剤としての機能も果たし得ることが開示されている。洗剤組成物におけるメチルおよびエチルセルロースエーテルの使用は、米国特許第２，３７３，８６３号明細書，Ｖｉｔａｌｉｓ（１９４５）に開示されている。洗剤における使用のための非常に多くのセルロース系が米国特許第２，９９４，６６５号明細書，Ｒｅｉｃｈ，ｅｔ  ａｌ．（１９６１）に開示されている；米国特許第３，５２３，０８８号明細書，Ｄｅａｎ，ｅｔ  ａｌ．（１９７０）も参照されたい。独国特許出願公告公報第１，０５４，６３８号明細書，Ｖａｎ  ｄｅｒ  Ｗｅｒｔｈ，Ｎｏｖ．２，１９５６には、Ｃ１２アルキルベンゼンスルホネートとカルボン酸含有セルロース誘導体の併用が開示されている。英国特許第１，０８４，０６１号明細書には、少量のセルロース系を液体洗剤用の安定剤とすることが開示されている。また、英国特許第９２７，５４２号明細書；同第７６５，８１１号明細書；および同第３４０，２３２号明細書には洗剤におけるセルロース系が教示されている。
【００１０】
米国特許第４１７４３０５号明細書には、セルロースエーテル泥汚れ放出剤を含むアルキルベンゼンスルホネート洗剤組成物が開示されている。米国特許第４７３２６３９号明細書には、一部のアルキルまたはアルキル／ヒドロキシ−アルキルセルロース誘導体（３．０までのモル置換度を有する）が泥汚れ放出ポリマーおよび／または再沈着防止ポリマーとして有効であることが開示されている。英国特許第１３１４８９７号明細書には再沈着防止および泥汚れ放出助剤としての使用のためのヒドロキシ−プロピルメチルセルロースが開示されているが、該文献から（米国特許第６１９１０９３号明細書で観察されたように）、純粋な綿製品に対しては性能がいくぶん不満足であることがわかる。米国特許第６２００３５１号明細書には、泥汚れ放出ポリマーとしての使用に適した非イオン性ヒドロキシ−アルキルセルロースエーテルとポリエステル泥汚れ放出ポリマーとの併用が開示されており、特に、ヒドロキシ−エチル、ヒドロキシ−プロピルおよび／またはヒドロキシ−ブチルセルロース（これらは、さらにアルキルエーテル基、より具体的にはメチル、エチルおよび／またはプロピル基を有していてもよい）が挙げられている。
【００１１】
綿およびポリエステルのどちらにも有効であり、加水分解および酵素の攻撃に対して安定な沈着システムの必要性が存在している。また、他の基材に対して有効な沈着助剤を見出す必要性も存在している。
【先行技術文献】
【特許文献】
【００１２】
【特許文献１】国際公開第０７／６２８３３号
【特許文献２】米国特許第２，３７３，８６３号明細書
【特許文献３】米国特許第２，９９４，６６５号明細書
【特許文献４】米国特許第３，５２３，０８８号明細書
【特許文献５】独国特許出願公告公報第１，０５４，６３８号明細書
【特許文献６】英国特許第１，０８４，０６１号明細書
【特許文献７】英国特許第９２７，５４２号明細書
【特許文献８】英国特許第７６５，８１１号明細書
【特許文献９】英国特許第３４０，２３２号明細書
【特許文献１０】米国特許第４１７４３０５号明細書
【特許文献１１】米国特許第４７３２６３９号明細書
【特許文献１２】英国特許第１３１４８９７号明細書
【特許文献１３】米国特許第６１９１０９３号明細書
【特許文献１４】米国特許第６２００３５１号明細書
【発明の概要】
【発明が解決しようとする課題】
【００１３】
本発明者らは、ここに、送達助剤としてデキストランが使用された有益剤を含む粒子が、綿およびポリエステルならびに毛髪に対して有効であると判断した。
【００１４】
したがって、本発明の第１の態様では、多糖であり、かつデキストランを含む１種類以上の送達助剤を外部表面に有する有益剤送達粒子を提供する。
【００１５】
送達助剤は、本質的にデキストランからなるものであることが好ましい。
【００１６】
好ましくは、有益剤送達粒子は非多糖ポリマー、より好ましくはアミノプラストポリマーが含まれている。典型的には、非多糖ポリマーは、比較的大型の水不溶性巨大分子の形態に架橋されている。
【００１７】
好ましくは、有益剤送達粒子には香料が含まれている。
【００１８】
非常に好ましい粒子は、有益剤を含むコアと、水不溶性非多糖ポリマーを含む少なくとも１つのシェルとを備えており、最も外側のシェルの外部表面にデキストランが結合している。
【００１９】
かかる粒子は内部領域を有しており、典型的には有益剤を含有している「コア」と、有益剤を保護し、コア内外への有益剤の流れを調節する水不溶性の「シェル」とを形成している。コアは、液滴の有益剤を含むものであってもよく、内部に有益剤が吸着されたポリマーマトリックスを含むものであってもよい。
【００２０】
該粒子は、内側領域と他の領域間の有益剤の熱力学的（速度論的でなく）分配を制御する担体であり得る。これは、香料または他の有益剤の後の段階での添加が粒子として必要とされる場合、したがって、有益剤が製品中に別々に適用され得る場合に特に好都合である。択一例では、シェルは有益剤に対して不透過性が大きく、有益剤はシェルが破壊されると放出される。
【００２１】
好ましくは、有益剤送達粒子はコアと少なくとも１つのシェルを備えている。特に好ましい実施形態では、香料はコア中に存在しており、送達助剤は最も外側のシェルの外面に結合している。送達助剤はシェルに直接結合させることが好ましいが、連結種によって結合させてもよい。
【００２２】
結合により、送達助剤が水中で離れない、したがって、送達助剤が該封入体の永久的一部分であって水溶性コーティングでないことを意図する。
【００２３】
本発明の有益剤送達粒子のさらなる有益性は、送達助剤自体が該粒子に結合していることによって獲得される綿に対する親和性の向上のため、洗濯用途においてある程度の泥汚れ放出の有益性も得られることであることが想定される。
【００２４】
本発明のさらなる態様では、
ａ）本発明の第１の態様による粒子、および
ｂ）少なくとも１種類の界面活性剤
を含む、毛髪、皮膚または洗濯物用のトリートメント組成物を提供する。
【００２５】
特に好ましい実施形態では、本発明は、少なくとも１種類のアニオン性または非イオン性界面活性剤を含む液状トリートメント組成物を提供する。
【００２６】
好ましくは、毛髪および／または皮膚用のトリートメント組成物では、界面活性剤は組成物全体に対して少なくとも３％ｗｔのアルキルエーテルスルフェートを含む。
【００２７】
好都合には、送達助剤は加水分解を受けにくく、洗濯用組成物に典型的に使用される酵素によって攻撃されない。
【００２８】
好ましい実施形態では、本発明の洗濯物トリートメント組成物は、多糖基質を有する少なくとも１種類の酵素を含むものである。好ましくは、これは、ヘミセルラーゼ、セルラーゼ（これは特に好ましい）、ポリガラクツロナーゼ、キシラナーゼ、ペクチナーゼ、マンナーゼ（これもまた特に好ましい）、ペクチン酸リアーゼ、リグニナーゼ、プルラナーゼ、ペントサナーゼ、アラビノシダーゼ（ａｒａｂｉｎｏｓｉｄａｓｅ）、ヒアルロニダーゼ、コンドロイチナーゼ、ラッカーゼ、グリコシルヒドロラーゼおよびアミラーゼまたはその混合物から選択される。別の好ましい実施形態では、本発明の組成物にはポリエステラーゼが含有されている。ポリエステラーゼと多糖基質酵素の両方を存在させてもよい。このような一般的な酵素、特にセルラーゼの存在下における送達助剤の安定性により、イナゴマメガムを主体とするこれまでに知られている沈着系と比べて大きな利点が得られる。
【００２９】
別の好ましい実施形態では、本発明の組成物にはポリエステラーゼが含有されている。ポリエステラーゼと多糖基質酵素の両方を存在させてもよい。
【００３０】
さらに好ましい組成物は、セルラーゼ、マンナーゼおよびその混合物から選択される酵素と、香料を含み、粒子のシェルの外面に送達助剤としてデキストランが結合していることを特徴とするポリマーコア−シェル粒子とを含むものである。
【００３１】
本発明のまたさらなる態様は、有益剤粒子の生成工程に存在し、
ａ）乳化重合を用いてコア−シェル粒子を形成して該コアを封入し、
ｂ）デキストランの存在下で該コアシェル−粒子の外部表面上にさらなるポリマー層を形成し、
該有益剤は、工程（ａ）中に該コア内もしくは該コアとして存在するか、または後続の工程で該コア内に吸着させるかのいずれかである、
有益剤送達粒子の作製方法にある。
【発明を実施するための形態】
【００３２】
本発明がさらに理解され得るように、本発明を、具体的に好ましい特徴に関して以下にさらに詳細に説明する。パーセンテージを示している場合は、特に記載のない限り重量パーセンテージである。同様に、比率はすべて、特に指定のない限り重量基準の比率である。
【００３３】
本実施例および比較例以外、またはそうでないことを明示している場合以外、材料の量もしくは比率または反応条件、材料の物性および／または使用を示す本記載における数値はすべて、文言「約」によって修飾されていると理解されたい。
【００３４】
送達助剤
デキストランは、デキストランバイオポリマーの主鎖単位に１−３結合した側鎖を有するα−Ｄ−１，６−グルコース−結合型グルカンである。典型的には分枝度はおよそ５％である。分枝部はほとんどが１〜２グルコース単位長である。α１−６多糖がセルロースとポリエステルの両方に対していくらかの親和性を示すことは驚くべきことである。
【００３５】
好ましくは、該デキストランは、５ｋＤを超える、より好ましくは１０ｋＤを超える、最も好ましくは２０ｋＤを超える分子量を有するものである。
【００３６】
有益剤
有益剤は、場合によっては皮膚、衣類または毛髪に対してさまざまな有益性をもたらすものである。
【００３７】
種々の有益剤が該粒子に組み込まれ得る。該粒子の最終用途が好ましい界面活性剤含有配合物に関するものである場合、好ましくは界面活性剤含有組成物で処理される基材に対して有益性をもたらし得る任意の適合性の有益剤が使用され得る。界面活性剤の存在下における本発明の粒子の利点は、配合物の保存時の有益剤の良好な保持ならびに製品使用中および使用後での有益剤の制御可能な放出である。
【００３８】
有益剤は、布地に対してさまざまな有益性をもたらすものである。このようなものとしては、衣類に対する柔軟性付与、コンディショニング、潤滑性付与、しわ低減、容易なアイロンがけ、保湿、色の持続という有益性および／または毛玉防止、速乾性、ＵＶ保護、形状保持、泥汚れ放出、質感調整（ｔｅｘｔｕｒｉｓｉｎｇ）、防虫、防かび、染着および／または蛍光性の有益性が挙げられる。
【００３９】
非常に好ましい有益性の１つは、芳香（遊離状態および／または封入状態のいずれか）あるいはプロフレグランスの送達である。
【００４０】
好ましい有益剤は、香料（遊離状態および／または封入状態のいずれか）、プロフレグランス、クレイ、酵素、消泡剤、蛍光料、漂白剤およびその前駆物質（例えば、光退色剤）、遮光性の染料および／または顔料、衣類コンディショニング剤（例えば、カチオン性界面活性剤、例えば、水不溶性第４級アンモニウム物質および／またはシリコーン）、潤滑剤（例えば、シュガーポリエステル）、光防護剤（例えば、日焼け止め剤）、酸化防止剤、還元剤、金属イオン封鎖剤、カラーケア添加剤（例えば、染料固定剤）、不飽和油、エモリエント剤、防虫剤および／またはフェロモン、ドレープモディファイヤ（例えば、ＰＶＡｃなどのポリマーラテックス粒子）ならびに抗菌剤および微生物防除剤である。これらの２種類以上の混合物を使用してもよい。具体的な有益剤を以下にさらに詳細に記載する。
【００４１】
他の好ましい有益剤は、フレーバー剤および芳香剤、プロフレグランス、クレイ、酵素、消泡剤、蛍光料、漂白剤およびその前駆物質（例えば、光退色剤）、染料および／または顔料、コンディショニング剤（例えば、カチオン性界面活性剤、例えば、水不溶性第４級アンモニウム物質、脂肪族アルコールおよび／またはシリコーン）、潤滑剤（例えば、シュガーポリエステル）、色保護剤および光防護剤（例えば、日焼け止め剤）、酸化防止剤、セラミド、還元剤、金属イオン封鎖剤（ｓｅｑｕｅｓｔｅｒａｎｔ）、カラーケア添加剤（例えば、染料固定剤）、不飽和油、エモリエント剤、保湿剤、防虫剤および／またはフェロモン、ドレープモディファイヤ（例えば、ＰＶＡｃなどのポリマーラテックス粒子）ならびに抗菌剤および微生物防除剤である。これらの２種類以上の混合物を使用してもよい。具体的な有益剤を以下にさらに詳細に記載する。
【００４２】
皮膚用組成物では、好ましい有益剤としては、芳香剤、保湿剤、日焼け止め剤、美白剤、抗菌剤、油類および防虫剤のうちの１種類以上が挙げられる。毛髪用組成物では、好ましい有益剤の列挙は色保護剤および染料の添加と同じである。
【００４３】
好ましい抗菌剤としては、Ｔｒｉｃｌｏｓａｎ（商標）、クリンバゾール、オクタピロックス（ｏｃｔａｐｙｒｏｘ）、ケトコニゾール（ｋｅｔｏｃｏｎｉｚｏｌｅ）、亜鉛ピリチオン、および第４級アンモニウム化合物が挙げられる。
【００４４】
フケ防止剤は、フケに対して活性なヘアトリートメント組成物における使用に適した有益剤であり、典型的には抗菌剤、好ましくは抗真菌剤である。抗真菌剤は、典型的にはマラセジア属種に対して約５０ｍｇ／ｍｌ以下の最小阻害濃度を示すものである。
【００４５】
好適なフケ防止有益剤としては、ケトコナゾール、クリンバゾール、オクトピロックス、金属ピリチオン塩およびその混合物から選択される化合物が挙げられる。好ましいアゾール系抗真菌剤はケトコナゾールおよびクリンバゾールである。
【００４６】
好ましい金属ピリチオン塩は、亜鉛、銅、銀およびジルコニウムピリチオンである。最も好ましいのは亜鉛ピリチオンである。
【００４７】
好ましくは、フケ防止活性剤は、該組成物の０．０１〜５ｗｔ％、より好ましくは該組成物の０．１〜２．５ｗｔ％で存在させる。
【００４８】
好ましい日焼け止め剤および／または美白剤はビタミンＢ３化合物である。好適なビタミンＢ３化合物は、ナイアシン、ナイアシンアミド、ニコチニルアルコール、またはその誘導体もしくは塩から選択される。美白剤として作用する他のビタミンを、さらなる美白効果をもたらすために美白組成物中に好都合に含めてもよい。このようなものとしては、ビタミンＢ６、ビタミンＣ、ビタミンＡまたはこれらの前駆物質が挙げられる。また、ビタミン混合物を本発明の組成物に使用してもよい。特に好ましいさらなるビタミンはビタミンＢ６である。本明細書において有用な美白剤の他の非限定的な例としては、アダパレン、アロエエキス、乳酸アンモニウム、アルブチン、アゼライン酸、ブチルヒドロキシアニソール、ブチルヒドロキシトルエン、クエン酸エステル、デオキシアルブチン、１，３ジフェニルプロパン誘導体、２，５ジヒドロキシル安息香酸およびその誘導体、２−（４−アセトキシフェニル）−１，３ジタン、２−（４−ヒドロキシルフェニル）−１，３ジタン、エラグ酸、グルコピラノシル−１−アスコルベート、グルコン酸、グリコール酸、緑茶エキス、４−ヒドロキシ−５−メチル−３［２Ｈ］−フラノン、ヒドロキノン、４ヒドロキシアニソールおよびその誘導体、４−ヒドロキシ安息香酸誘導体、ヒドロキシカプリル酸、イノシトールアスコルベート、コジック酸、乳酸、レモンエキス、リノール酸、リン酸アスコルビルマグネシウム、５−オクタノイルサリチル酸、２，４レゾルシノール誘導体、３，５レゾルシノール誘導体、サリチル酸、３，４，５トリヒドロキシベンジル誘導体、ならびにその混合物が挙げられる。本発明において有用な好ましい日焼け止め剤は、２−エチルヘキシル−ｐ−メトキシシンナメート、ブチルメトキシジベンゾイルメタン、２−ヒドロキシ−４−メトキシベンゾフェノン、オクチルジメチル−ｐ−アミノ安息香酸およびその混合物である。特に好ましい日焼け止め剤は、２−エチルヘキシル−ｐ−メトキシシンナメート、４，−ｔ−ブチル−４’−メトキシジベンゾイル−メタンまたはその混合物から選択される。本発明の美白組成物における使用に適した他の慣用的な日焼け止め剤としては、２−ヒドロキシ−４−メトキシベンゾフェノン、オクチルジメチル−ｐ−アミノ安息香酸、ジガロイルトリオレエート、２，２−ジヒドロキシ−４−メトキシベンゾフェノン、エチル−４−（ビス（ヒドロキシプロピル））アミノベンゾエート、２−エチルヘキシル−２−シアノ−３，３−ジフェニルアクリレート、２−エチルヘキシルサリチレート、グリセリル−ｐ−アミノベンゾエート、３，３，５−トリメチルシクロヘキシル−サリチレート、メチルアントラニレート、ｐ−ジメチル−アミノ安息香酸またはアミノベンゾエート、２−エチルヘキシル−ｐ−ジメチル−アミノ−ベンゾエート、２−フェニルベンゾイミダゾール−５−スルホン酸、２−（ｐ−ジメチルアミノフェニル）−５−スルホン酸ベンゾオキサゾイックアシッド（ｓｕｌｆｏｎｉｃ  ｂｅｎｚｏｘａｚｏｉｃ  ａｃｉｄ）およびこれらの化合物の混合物が挙げられる。
【００４９】
好ましい酸化防止剤としては、ビタミンＥ、レチノール、ヒドロキシトルエンを主体とする酸化防止剤（ａｎｔｉｏｘｉａｎｔ）（Ｉｒｇａｎｏｘ（商標）など）または市販の酸化防止剤（Ｔｒｏｌｌｏｘ（商標）シリーズなど）が挙げられる。
【００５０】
有益剤の結合および担体
送達助剤は、有益剤自体を含むものであるか、またはそれ自体は有益剤の担体であるかのいずれかである粒子に結合させる。かかるものの一例は、香料  フケ防止剤、防虫剤または他の有益剤を担持する粒子であって、送達助剤が該粒子の表面に結合しているものであり得る。
【００５１】
ポリマー粒子、好ましくはコア−シェル封入体を使用することが好ましいが、多くの他の型の粒子が有益剤担体として想定され得る。香料をクレイまたはゼオライト物質に吸着させ、次いで、これを粒状洗剤組成物中に混合する：米国特許第４，５３９，１３５号には、香料を担持したクレイまたはゼオライト物質を含む粒状洗濯用化合物が開示されている。また、一般的には大孔径ゼオライト（Ｘ型およびＹ型ゼオライトなど）との香料の組合せもまた、当該技術分野において教示されている。東ドイツ特許出願公開公報第２４８，５０８号は、香料が負荷されたフォージャサイト型ゼオライト（例えば、Ｘ型およびＹ型ゼオライト）を含有する香料分散体に関するものである。また、東ドイツ特許出願公開公報第１３７，５９９号（１９７９年９月１２日公開）には、香料の熱調節型放出をもたらすための、粉末型洗浄剤における使用のための組成物が教示されている。このような組成物における使用のためのＡ型、Ｘ型およびＹ型のゼオライトが教示されている。他の香料送達システムは、国際公開第９７／３４９８２号および同第９８／４１６０７号（Ｐｒｏｃｔｅｒ  ＆  Ｇａｍｂｌｅによって公開）に教示されている。国際公開第９７／３４９８２号には香料負荷ゼオライトと放出バリアを含む粒子が開示されており、該放出バリアは、ワックス由来のものであり、ゼオライト担体の細孔のサイズより大きいサイズ（すなわち、断面積）を有する薬剤である。国際公開第９８／４１６０７号には、洗濯用またはクリーニング用組成物に有用な薬剤を含むガラス状粒子および１種類以上の少なくとも一部水溶性のヒドロキシル化合物に由来するガラスが開示されている。
【００５２】
シリカ、非晶質シリケート、結晶性単層シリケート、層状シリケート、炭酸カルシウム、炭酸カルシウム／ナトリウム複塩、炭酸ナトリウム、ソーダライト、アルカリ金属リン酸塩、ペクチン、キチンマイクロビーズ、カルボキシアルキルセルロース、ガム、樹脂、ゼラチン、アラビアガム、多孔質デンプン、化工デンプン、カルボキシアルキルデンプン、シクロデキストリン、マルトデキストリン、合成ポリマー、例えば、ポリビニルピロリドン（ＰＶＰ）、ポリビニルアルコール（ＰＶＡ）、セルロースエーテル、ポリスチレン、ポリアクリレート、ポリメタクリレート、ポリオレフィン、アミノプラストポリマー、架橋剤およびその混合物はすべて、香料粒子のベースを提供し得るものである。
【００５３】
しかしながら、ポリマー粒子、特に、アミノプラストポリマーを含むポリマー粒子が好ましい。
【００５４】
有益剤を担持する粒子は、典型的には１００ナノメートル〜５０ミクロンのサイズのものである。これより大きい粒子は可視範囲に入る。
【００５５】
好ましい粒径範囲はサブミクロン範囲またはミクロン範囲のいずれかである。
【００５６】
サブミクロン範囲の好適な粒子としては、１００〜６００ナノメートルの典型的なサイズ範囲を有するナノ粒子、ラテックスおよびミニエマルジョン生成物が挙げられる。
【００５７】
ミクロン範囲の好適な粒子としては、１〜５０ミクロン、好ましくは５〜３０ミクロンの典型的なサイズ範囲を有する既知の型のメラミン／尿素−ホルムアルデヒド封入体、シリカ、クレイデンプンおよびゼオライト粒子およびコアセルベートが挙げられる。
【００５８】
本発明の好ましい一態様では、沈着助剤としてのデキストランを、少なくとも一部が予備形成された粒子に結合させる。
【００５９】
送達助剤は該粒子に、共有結合、からみ合いまたは強力な吸着によって、好ましくは共有結合またはからみ合いによって、最も好ましくは共有結合によって結合している。からみ合いにより、本明細書で用いる場合、重合が進行し、該粒子のサイズが大きくなるにつれて送達助剤が該粒子上に吸着されることを意図する。かかる状況下では、吸着された送達助剤の一部が粒子の内部に包埋された状態になると考えられる。したがって、重合終了時、送達助剤の一部は該粒子のポリマーマトリックス内に捕捉されて結合状態となるが、残部は水相中に自由に広がる。
【００６０】
送達は、好ましくは大部分が粒子表面に結合し、なんら有意な程度に該粒子の内部塊中に分布しない。したがって、本発明の好ましい方法により送達助剤を使用した場合に作製される粒子は「毛様粒子」とみなすことができる。上記のように、デキストランは、送達助剤として有効に機能することができなくなるため水によって離されないことが重要である。したがって、例えば、粒子上へのデキストランの噴霧乾燥コーティングでは、該粒子が水に曝露されるとデキストランが離れてしまうであろうことから、有効な送達助剤となるデキストランがもたらされ得ない。
【００６１】
本発明のポリマー担体粒子は、広範に選択されるモノマー単位を含むものであり得る。「モノマー単位」により、本明細書で用いる場合、ポリマー鎖のモノマー単位を意図し、したがって、「不溶性モノマー単位を含むポリマー粒子」に対する言及は、本明細書で用いる場合、ポリマー粒子が不溶性モノマーなどに由来するものであることを意図する。
【００６２】
上記のように、モノマー単位は、好ましくは段階成長重合または付加／フリーラジカル重合のいずれかに適したモノマーに由来するものである。上記のように、有益剤がコア内に存在し、キトサン塩がシェルの外部表面に結合しているアミノプラスト（例えば、メラミン／ホルムアルデヒドまたは尿素／ホルムアルデヒド）コア／シェル粒子が特に好ましい。
【００６３】
粒子自体が有益剤でない場合、有益剤は、典型的には担体粒子の総重量に対して１０〜８５％、好ましくは該粒子の総重量に対して２０〜７５％の量で存在させる。
【００６４】
送達助剤がデキストランを含むものであることは本発明に必須であるが、さらなる送達助剤を該粒子の表面上に存在させてもよい。このようなものは、好都合にはセルロース誘導体およびポリエステルから選択され得、それにより、より良好な複数種の基材に対して実質性がもたらされる。特に好ましい多糖のさらなる沈着助剤としては、キトサン、ヒドロキシ−プロピルメチルセルロース、ヒドロキシ−エチルメチルセルロース、ヒドロキシ−プロピルグアー、ヒドロキシ−エチルエチルセルロース、メチルセルロース、イナゴマメガム、キシログルカン、グアーガムが挙げられる。特に好ましいポリエステルのさらなる沈着助剤としては、オキシエチレン、ポリオキシエチレン、オキシプロピレンまたはポリオキシプロピレンセグメントを含む１つ以上の非イオン性親水性成分と、テレフタレートセグメントを含む１つ以上の疎水性成分とを有するポリマーが挙げられる。
【００６５】
揮発性有益剤（例えば、有益剤としての香料）
香料は揮発性有益剤の一例である。典型的な揮発性有益剤は５０〜５００の分子量を有するものである。該香料は、好適には５０〜５００の分子量を有するものである。プロフレグランスを使用する場合、分子量は一般的にはより大きい。
【００６６】
香料の有用成分には、天然起源および合成起源のどちらの物質も包含される。このようなものには単独の化合物および混合物が包含される。かかる成分の具体例は、最近の文献、例えば、Ｆｅｎａｒｏｌｉ’ｓ  Ｈａｎｄｂｏｏｋ  ｏｆ  Ｆｌａｖｏｕｒ  Ｉｎｇｒｅｄｉｅｎｔｓ，１９７５，ＣＲＣ  Ｐｒｅｓｓ；Ｓｙｎｔｈｅｔｉｃ  Ｆｏｏｄ  Ａｄｊｕｎｃｔｓ，１９４７（Ｍ．Ｂ．Ｊａｃｏｂｓによる，Ｖａｎ  Ｎｏｓｔｒａｎｄ編）；またはＰｅｒｆｕｍｅ  ａｎｄ  Ｆｌａｖｏｕｒ  Ｃｈｅｍｉｃａｌｓ  ｂｙ  Ｓ．Ａｒｃｔａｎｄｅｒ  １９６９，Ｍｏｎｔｃｌａｉｒ，Ｎ．Ｊ．（ＵＳＡ）をみるとよい。このような物質は消費者製品に香り付け、香味付けおよび／または着香する、すなわち、従来より香り付けまたは香味付けされている消費者製品に香りおよび／またはフレーバーまたは味を付与する、あるいは前記消費者製品の香りおよび／または味を改良する当業者によく知られている。
【００６７】
香料により、本文中では、完全な配合生成物の芳香だけでなく、該芳香の選択された成分、特に、消えやすいもの（いわゆる「トップノート」など）も意味する。また、香料成分はプロフレグランスの形態であってもよい。例えば、国際公開第２００２／０３８１２０号（Ｐ＆Ｇ）は、電磁放射線に曝露されると香味種を放出し得る光不安定性プロフレグランスコンジュゲートに関するものである。
【００６８】
トップノートは、Ｐｏｕｃｈｅｒ（Ｊｏｕｒｎａｌ  ｏｆ  ｔｈｅ  Ｓｏｃｉｅｔｙ  ｏｆ  Ｃｏｓｍｅｔｉｃ  Ｃｈｅｍｉｓｔｓ  ６（２）：８０［１９５５］）に定義されている。よく知られているトップノートの例としては、かんきつ油、リナロール、酢酸リナリル、ラベンダー、ジヒドロミルセノール、ローズオキシドおよびシス−３−ヘキサノールが挙げられる。トップノートは、典型的には香料組成物の１５〜２５％ｗｔを構成し、高レベルのトップノートを含む本発明の実施形態では、少なくとも（ａｔ  ｔｈａｔ  ｌｅａｓｔ）２０％ｗｔを封入体内に存在させ得ることが想定される。
【００６９】
封入するのに好都合な典型的な香料成分としては、比較的低い沸点を有するもの、好ましくは３００より下、好ましくは１００〜２５０セ氏温度の沸点を有するものが挙げられる。
【００７０】
また、低ＬｏｇＰ（すなわち、水中分配分）、好ましくは３．０未満のＬｏｇＰを有する香料成分を封入することも好都合である。比較的低沸点で比較的低ＬｏｇＰのこのような物質は、「ディレイドブルーミング（ｄｅｌａｙｅｄ  ｂｌｏｏｍｉｎｇ）」香料成分と称され、以下の物質：
カプロン酸アリル、酢酸アミル、プロピオン酸アミル、アニスアルデヒド、アニソール、ベンズアルデヒド、酢酸ベンジル、ベンジルアセトン、ベンジルアルコール、ギ酸ベンジル、イソ吉草酸ベンジル、プロピオン酸ベンジル、βγヘキセノール、カンファーガム、左旋性カルボン、ｄ−カルボン、桂皮アルコール、ギ酸シンナミル、シス−ジャスモン、酢酸シス−３−ヘキセニル、クミン（Ｃｕｍｉｎｉｃ）アルコール、シクラールＣ、ジメチルベンジルカルビノール、ジメチルベンジルカルビノールアセテート、酢酸エチル、アセト酢酸エチル、エチルアミルケトン、安息香酸エチル、酪酸エチル、エチルヘキシルケトン、フェニル酢酸エチル、オイカリプトール、オイゲノール、酢酸フェンキル、酢酸フロール（Ｆｌｏｒ  Ａｃｅｔａｔｅ）（酢酸トリシクロデセニル）、フルテン（Ｆｒｕｔｅｎｅ）（プロピオン酸トリシクロ（ｔｒｉｃｙｃｌｃｏ）デセニル）、ゲラニオール、ヘキセノール、酢酸ヘキセニル、酢酸ヘキシル、ギ酸ヘキシル、ヒドロアトロパアルコール、ヒドロキシシトロネラル、インドン（Ｉｎｄｏｎｅ）、イソアミルアルコール、イソメントン、酢酸イソプレギル、イソキノロン、リグストラル（Ｌｉｇｕｓｔｒａｌ）、リナロール、リナロールオキシド、ギ酸リナリル、メントン、メンチルアセトフェノン、メチルアミルケトン、アントラニル酸メチル、安息香酸メチル、酢酸メチルベニル（Ｂｅｎｙｌ）、メチルオイゲノール、メチルヘプテノン、メチルヘプチン炭酸塩、メチルヘプチルケトン、メチルヘキシルケトン、酢酸メチルフェニルカルビニル、サリチル酸メチル、アントラニル酸メチル−Ｎ−メチル、ネロール、オクタラクトン、オクチルアルコール、ｐ−クレゾール、ｐ−クレゾールメチルエーテル、ｐ−メトキシアセトフェノン、ｐ−メチルアセトフェノン、フェノキシエタノール、フェニルアセトアルデヒド、フェニル酢酸エチル、フェニルエチルアルコール、フェニルエチルジメチルカルビノール、酢酸プレニル、プロピルボルネート（Ｂｏｒｎａｔｅ）、プレゴン、ローズオキシド、サフロール、４−テルピネノール（Ｔｅｒｐｉｎｅｎｏｌ）、アルファ−テルピネノール、および／またはビリジンが挙げられる。
【００７１】
複数種の香料成分を配合物中に存在させることは普通である。本発明の封入体には、上記に示したディレイドブルーミング香料について示した列挙からの４種類以上、好ましくは５種類以上、より好ましくは６種類以上またはさらに７種類以上の異なる香料成分を封入香料に存在させることが想定される。
【００７２】
香料の一部または全部がプロフレグランスの形態であり得る。本発明の解釈上、プロフレグランスは、芳香物質に変換され得る芳香物質前駆体を含む任意の物質である。プロフレグランスは、例えば食用脂質であり得る。食用脂質は、典型的には、顕著な疎水性を有する構造単位を含むものである。脂質のほとんどは脂肪酸由来のものである。このような「アシル」脂質では、脂肪酸が主にエステルとして存在し、モノ−、ジ−、トリアシルグリセロール、リン脂質、糖脂質、ジオール脂質、ワックス、ステロールエステルおよびトコフェロールが挙げられる。天然状態では、植物脂質には、その酸化を抑制する酸化防止体が含まれている。該酸化防止体は、少なくとも一部は植物からの油の単離中に除去され得るが、一部の酸化防止体は残存し得る。このような酸化防止剤がプロフレグランスであってもよい。特に、カロチノイドおよび関連化合物、例えば、ビタミンＡ、レチノール、レチナール、レチノイン酸およびプロビタミンＡは、香味種、例えば、イオノン、ダマスコンおよびダムセノン（ｄａｍｓｃｅｎｏｎｅ）に変換され得る。好ましいプロフレグランスである食用脂質としては、オリーブ油、ヤシ油、キャノーラ油、スクアレン、ヒマワリ種子油、コムギ胚芽油、アーモンド油、ココナッツ油、ブドウ種子油、菜種油、ヒマシ油、コーン油、綿実油、ベニバナ油、ラッカセイ油、ケシ油、パーム核油、ぬか油、ゴマ油、ダイズ油、カボチャ種子油、ホホバ油およびカラシ油が挙げられる。
【００７３】
好適なプロフレグランスは、アルデヒドである香料成分を生成するものである。香料に有用なアルデヒドとしては、限定されないが、フェニルアセトアルデヒド、ｐ−メチルフェニルアセトアルデヒド、ｐ−イソプロピルフェニルアセトアルデヒド、メチイ（ｍｅｔｈｙｉ）ノニルアセトアルデヒド、フェニルプロパナール、３−（４−ｔ−ブチルフェニル）−２−メチル  プロパナール、３−（４−ｔ−ブチルフェニル）−プロパナール、３−（４−メトキシフェニル）−２−メチルプロパナール、３−（４−イソプロピルフェニル）−２−メチルプロパナール、３−（３、４−メチレンジオキシフェニル）−２−メチルプロパナール、３−（４−エチルフェニ（ｐｈｅｎｙ））−２、２−ジメチルプロパナール、フェニルブタナール、３−メチル−５−フェニルペンタナール、ヘキサナール、トランス−２−ヘキセナール、シス−ヘキス−３−エナール、ヘプタナール、シス−４−ヘプテナール、２−エチル−２−ヘプテナール、２，６−ジメチル−５−ヘプテナール、２，４−ヘプタジエナール、オクタナール、２−オクテナール、３，７−ジメチルオクタナール、３，７−ジメチル−２，６−オクタジエン−１−アール、３，７−ジメチル−１，６−オクタジエン−３−アール、３，７−ジメチル−６−オクテナール、３，７−ジメチル−７−ヒドロキシオクタン−１−アール、ノナナール、６−ノネナール、２，４−ノナジエナール、２、６−ノナジエナール、デカナール、２−メチルデカナール、４−デセナール、９−デセナール、２，４−デカジエナール、ウンデカナール、２−メチルデカナール、２−メチルウンデカナール、２，６，１０−トリメチル−９−ウンデセナール、ウンデス−１０−エニルアルデヒド、ウンデス−８−エナナール、ドデカナール、トリデカナール、テトラデカナール、アニスアルデヒド、ブルゲノアール（ｂｏｕｒｇｅｎｏａｌ）、桂皮アルデヒド、ａ−アミルシンナムアルデヒド、ａ−ヘキシルシンナムアルデヒド、メトキシ−シンナムアルデヒド、シトロネラル、ヒドロキシ−シトロネラル、イソシクロシトラール、シトロネリルオキシアセトアルデヒド、コルテックスアルデヒド、クミンアルデヒド、シクラメンアルデヒド、フロルヒドラル（ｆｌｏｒｈｙｄｒａｌ）、ヘリオトロピン、屈水性アルデヒド、リリアール、バニリン、エチルバニリン、ベンズアルデヒド、ｐ−メチルベンズアルデヒド、３，４−ジメトキシベンズアルデヒド、３−および４−（４−ヒドロキシ−４−メチル−ペンチル）−３−シクロヘキセン−１−カルボキサルデヒド、２，４−ジメチル−３−シクロヘキセン−１−カルボキサルデヒド、１−メチル−３−（４−メチルペンチル）−３−シクロヘキセン−カルボキサルデヒド、ｐ−メチルフェノキシアセトアルデヒド、ならびにその混合物が挙げられる。
【００７４】
本発明に適用され得る別の香料群は、いわゆる「アロマテラピー」物質である。このようなものとしては、香料にも使用される多くの成分、例えば、精油の成分、例えば、クラリーセージ、ユーカリ、ゼラニウム、ラベンダー、メイスエキス（Ｍａｃｅ  Ｅｘｔｒａｃｔ）、ネロリ、ナツメグ、スペアミント、ニオイスミレの葉およびバレリアンが挙げられる。本発明により、このような物質は、着用される繊維製品に移され得るか、あるいは人体と接触し得るか（ハンカチおよびシーツ／枕カバー）または人間の皮膚もしくは毛髪に直接沈着され得る。
【００７５】
また、揮発性有益剤としては、防虫剤物質（この場合、虫は、節足動物であるが厳密には六脚類（例えば、ダニ）でない他の害虫を包含するがように広く解釈されたい）も挙げられる。このような物質の多くは香料成分の類型と重複し、一部のものは人間には無臭であるか、または香料でない臭いを有する。一般的に使用されている防虫剤としては：ＤＥＥＴ（Ｎ，Ｎ−ジエチル−ｍ−トルアミド）、レモンユーカリ（Ｃｏｒｙｍｂｉａ  ｃｉｔｒｉｏｄｏｒａ）およびその活性化合物ｐ−メンタン−３，８−ジオール（ＰＭＤ）、イカリジン（ピカリジン、Ｄ−リモネン、バイレペル、およびＫＢＲ  ３０２３としても知られている）、ネペタラクトン（「イヌハッカ油」としても知られている）、シトロネラ油、ペルメトリン、インドセンダン油およびヤチヤナギの精油が挙げられる。天然供給源に由来する既知の防虫剤としては：Ａｃｈｉｌｌｅａ  ａｌｐｉｎａ、α−テルピネン、バジル油（Ｏｃｉｍｕｍ  ｂａｓｉｌｉｃｕｍ）、Ｃａｌｌｉｃａｒｐａ  ａｍｅｒｉｃａｎａ（Ｂｅａｕｔｙｂｅｒｒｙ）、樟脳、カルバクロール、ヒマシ油（Ｒｉｃｉｎｕｓ  ｃｏｍｍｕｎｉｓ）、イヌハッカ油（ネペタ種）、セダー油（Ｃｅｄｒｕｓ  ａｔｌａｎｔｉｃａ）、セロリエキス（Ａｐｉｕｍ  ｇｒａｖｅｏｌｅｎｓ）、シナモン（Ｃｉｎｎａｍｏｍｕｍ  Ｚｅｙｌａｎｉｃｕｍ，リーフ油）、シトロネラ油（Ｃｙｍｂｏｐｏｇｏｎ  ｆｌｅｕｓｕｓ）、クローブ油（Ｅｕｇｅｎｉｃ  ｃａｒｙｏｐｈｙｌｌａｔａ）、ユーカリ油（７０％＋ユーカリプトール（シネオールとしても知られている））、フェンネル油（Ｆｏｅｎｉｃｕｌｕｍ  ｖｕｌｇａｒｅ）、ニンニク油（Ａｌｌｉｕｍ  ｓａｔｉｖｕｍ）、ゼラニウム油（Ｐｅｌａｒｇｏｎｉｕｍ  ｇｒａｖｅｏｌｅｎｓとしても知られている）、ラベンダー油（Ｌａｖａｎｄｕｌａ  ｏｆｆｉｃｉｎａｌｉｓ）、レモンユーカリ（Ｃｏｒｙｍｂｉａ  ｃｉｔｒｉｏｄｏｒａ）精油およびその活性成分ｐ−メンタン−３，８−ジオール（ＰＭＤ）、レモングラス油（Ｃｙｍｂｏｐｏｇｏｎ  ｆｌｅｘｕｏｓｕｓ）、マリーゴールド（Ｔａｇｅｔｅｓ  種）、マジョラム（Ｔｅｔｒａｎｙｃｈｕｓ  ｕｒｔｉｃａｅおよびＥｕｔｅｔｒａｎｙｃｈｕｓ  ｏｒｉｅｎｔａｌｉｓ）、インドセンダン油（Ａｚａｄｉｒａｃｈｔａ  ｉｎｄｉｃａ）、オレイン酸、ペパーミント（Ｍｅｎｔｈａ  ｘ  ｐｉｐｅｒｉｔａ）、メグサハッカ（Ｍｅｎｔｈａ  ｐｕｌｅｇｉｕｍ）、除虫菊（キク属種のもの、特にＣ．ｃｉｎｅｒａｒｉｉｆｏｌｉｕｍおよびＣ．ｃｏｃｃｉｎｅｕｍ）、ローズマリー油（Ｒｏｓｍａｒｉｎｕｓ  ｏｆｆｉｃｉｎａｌｉｓ）、Ｓｐａｎｉｓｈ  Ｆｌａｇ  Ｌａｎｔａｎａ  ｃａｍａｒａ（Ｈｅｌｏｐｅｌｔｉｓ  ｔｈｅｉｖｏｒａ）、Ｓｏｌａｎｕｍ  ｖｉｌｌｏｓｕｍ  ｂｅｒｒｙ  ｊｕｉｃｅ、ティーツリー油（Ｍｅｌａｌｅｕｃａ  ａｌｔｅｒｎｉｆｏｌｉａ）およびタイム（タイム属種）ならびにその混合物が挙げられる。
【００７６】
香料は、単独で封入してもよく、担体物質、さらなる沈着助剤および／または固定剤とともに同時封入してもよい。担体粒子中に香料とともに同時封入される好ましい物質としては、ワックス、パラフィン、安定剤および固定剤が挙げられる。
【００７７】
あってもよいさらに好ましい担体粒子の成分はホルムアルデヒド捕捉剤である。これは、製造方法の結果または成分としてホルムアルデヒドを含み得る担体粒子において特に好都合である。ホルムアルデヒド捕捉剤は：亜硫酸水素ナトリウム、尿素、システイン、システアミン、リシン、グリシン、セリン、カルノシン、ヒスチジン、グルタチオン、３，４−ジアミノ安息香酸、アラントイン、グリコールウリル、アントラニル酸、アントラニル酸メチル、４−アミノ安息香酸メチル、アセト酢酸エチル、アセトアセトアミド、マロンアミド、アスコルビン酸、１，３−ジヒドロキシアセトン二量体、ビウレット、オキサミド、ベンゾグアナミン、ピログルタミン酸、ピロガロール、没食子酸メチル、没食子酸エチル、没食子酸プロピル、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、ポリ（ビニルアミン）、ヘキサンジオール、エチレンジアミン−Ｎ，Ｎ’−ビスアセトアセトアミド、Ｎ−（２−エチルヘキシル）アセトアセトアミド、Ｎ−（３−フェニルプロピル）アセトアセトアミド、リリアール、ヘリオナール、メロナール、トリプラール、５，５−ジメチル−１，３−シクロヘキサンジオン、２，４−ジメチル−３−シクロヘキセンカルボキサルデヒド、２，２−ジメチル−１，３−ジオキサン−４，６−ジオン、２−ペンタノン、ジブチルアミン、トリエチレンテトラミン、ベンジルアミン、ヒドロキシシトロネロール、シクロヘキサノン、２−ブタノン、ペンタンジオン、デヒドロ酢酸、キトサン、またはその混合物から選択される。好ましいホルムアルデヒド捕捉剤は、亜硫酸水素ナトリウム、アセト酢酸エチル、アセトアセトアミド、エチレンジアミン−Ｎ，Ｎ’−ビスアセトアセトアミド、アスコルビン酸、２，２−ジメチル−１，３−ジオキサン−４，６−ジオン、ヘリオナール、トリプラール、リリアールおよびその混合物である。
【００７８】
酵素
洗濯用途において、本発明による組成物は１種類以上の酵素を含むものであることが好ましい。クリーニング用組成物中に存在させる場合、前述の酵素は、該組成物の重量に対して約０．００００１ｗｔ％〜約２ｗｔ％、約０．０００１ｗｔ％〜約１ｗｔ％またはさらに約０．００１ｗｔ％〜約０．５ｗｔ％の酵素タンパク質のレベルで存在させ得る。
【００７９】
方法の詳細
粒子が明確なコアとシェルを有する非常に好ましい実施形態では、該粒子の典型的な作製方法は、少なくとも１回の乳化重合工程を伴うものである。
【００８０】
コアが本質的に疎水性有益剤を含むものである実施形態では、乳化重合に、有益剤を、適切な物質を有する水性の系中に分散させ、有益剤中または水性の系内のいずれかに存在する必要とされるポリマーシェルを形成する形態が採用され得る。
【００８１】
次いで、重合を、分散させた有益剤（または有益剤＋固定剤もしくは担体）の液滴の表面上で進行させ、有益剤を含むコアの周囲にシェルを形成する。かかる方法は、例えば、アミノプラスト香料封入体を作製するのによく知られている。
【００８２】
ポリマー含有コアを有する本発明の実施形態では、重合は少なくとも２つの相で行われ得、このときシェルとコアは逐次形成される。シェルをコアの後に重合させてもよく、重合の順序を反対にしてもよい。
【００８３】
コア  第１：このアプローチでは、まずコアを形成し、シェルをコア上に沈着させる。
【００８４】
コア  第２：このアプローチでは、重合を少なくとも２つの相で行う。これらの相の初期では、シェルが段階成長重合によって形成される。このシェルが後期相に起こる鎖成長反応のための試薬を封入および内包させる。これらの相の一時的な分離は、存在させる試薬および反応条件の制御によって行われる。典型的には、シェル形成反応の成分の少なくとも１種類を初期反応混合物から保留し、シェル形成期の反応の進行を制御するために徐々に添加する。好都合には、反応の第１期は、鎖成長反応が抑止される条件下で行う。このような条件としては、充分に低い温度（熱活性化型反応の場合）または充分に少ない光条件（光活性化型反応の場合）が挙げられる。シェル形成反応が充分に進行したら、条件を、内部領域を形成する反応が開始するように修正する（例えば、温度を上げるか、または反応混合物を光に曝露することにより）。好ましい方法は、鎖成長ポリマー成分を含むエマルジョンが非水性の分散相中に形成され、段階成長ポリマー成分が分散相と連続水相の間の界面に存在するものである。
【００８５】
典型的には、水相は、乳化剤と、段階成長ポリマーのコモノマーの一方とを含むものである。また、選択されるポリマーの化学的性質に応じて、水相にいずれかのジオール、アルコールまたはアミン架橋剤を含有させてもよい。分散相は、鎖成長モノマー、開始剤、いずれかのイソシアネートまたはビニル架橋剤、段階成長重合ポリマーの他方のコモノマーおよび任意のあってもよい有益剤を含むものである。
【００８６】
有益剤は反応混合物中に、得られる粒子中において上記に開示したレベルの有益剤レベルが得られるレベルで存在させ得るが、「空」粒子を形成し、続いて該粒子を、該粒子のコア内に吸着され得る有益剤に曝露することも可能である。
【００８７】
表面改質物質が一般的に水相に該方法の最後の方で添加され、この場合、例えば、さらなるモノマー（１種類または複数種）を添加してさらなるシェル物質を形成し、さらなる物質を該粒子の外面に結合させてもよい。
【００８８】
単純なコア−シェル粒子では、有益剤を除くコアは該粒子の質量の好ましくは８０％ｗｔ以下であり、シェルは一般的に粒子の該質量の２０％ｗｔ以上である。
【００８９】
好ましい実施形態では、乳化重合工程は、１ミクロン未満の分散相の液滴サイズを用いて行われるいわゆる「ミニエマルジョン」重合である。超音波処理を含むさまざまな方法によって、および／またはハイシェアダイナミックミキサーもしくはスタティックミキサーによって、充分に微細なエマルジョンが得られ得る。ミニエマルジョン生成物は優れた懸濁特性を有する。
【００９０】
乳化剤
乳化重合における使用のための多くの乳化剤が知られている。該重合方法における使用のための好適な乳化剤は、限定されないが、非イオン性界面活性剤、例えば、ポリビニルピロリドン（ＰＶＰ）、ポリエチレングリコール  ソルビタンモノラウレート（Ｔｗｅｅｎ  ２０）、ポリエチレングリコールソルビタンモノパルミテート（ｔｗｅｅｎ  ４０）、ポリエチレングリコールソルビタンモノオレエート（Ｔｗｅｅｎ  ８０）、ポリビニルアルコール（ＰＶＡ）、およびポリ（エトキシ）ノニルフェノール、エチレン無水マレイン酸（ＥＭＡ）コポリマー、Ｅａｓｙ−Ｓｐｅｒｓｅ（商標）（ＩＳＰ  Ｔｅｃｈｎｏｌｏｇｉｅｓ  Ｉｎｃ．製）、イオン性界面活性剤、例えば、ポリアクリル酸の部分中和塩、例えば、ポリアクリル酸ナトリウムもしくはカリウムまたはポリメタクリル酸ナトリウムもしくはカリウム．Ｂｒｉｊ（商標）−３５、Ｈｙｐｅｒｍｅｒ（商標）Ａ  ６０、またはリグノ硫酸（ｌｉｇｎｏｓｕｌｐｈａｔｅ）ナトリウム、ならびにその混合物を含むものであり得る。
【００９１】
また、乳化剤としては、限定されないが、アクリル酸−アルキルアクリレートコポリマー、ポリ（アクリル酸）、ポリオキシアルキレンソルビタン脂肪酸エステル、ポリアルキレンコ−カルボキシ無水物、ポリアルキレンコ−無水マレイン酸、ポリ（メチルビニルエーテル−コ−無水マレイン酸）、ポリ（プロピレン−コ−無水マレイン酸）、ポリ（ブタジエンコ−無水マレイン酸）、およびポリ（酢酸ビニル−コ−無水マレイン酸）、ポリビニルアルコール、ポリアルキレングリコール、ポリオキシアルキレングリコール、ならびにその混合物が挙げられ得る。
【００９２】
好ましい乳化剤は、脂肪族アルコールエトキシレート（ｅｘｔｈｏｙｌａｔｅ）（特に、Ｂｒｉｊ（商標）類のもの）、エーテル硫酸塩（例えば、ＳＬＥＳ）、アルキルおよびアルカリルスルホン酸塩および硫酸塩（例えば、ＬＡＳおよびＳＤＳ）ならびにカチオン性第４級塩（例えば、ＣＴＡＣおよびＣＴＡＢ）である。
【００９３】
乳化剤の性質は、完成粒子が使用環境と適合性であることが確実となるように選択され得る。
【００９４】
特に、アニオン性界面活性剤系（例えば、ＳＬＥＳ  １−４  ＥＯ、好ましくは１−３  ＥＯおよび上記の他のもの）の存在下で形成されるコアは、その環境にアニオン性界面活性剤が含まれる製品、例えば、ボディウォッシュ製品およびシャンプーなどと適合性である。
【００９５】
カチオン性界面活性剤（例えば、上記のようなカチオン性第４級塩、特に、アルキルトリメチルアンモニウムハライドのうちの１種類）の存在下で形成されるコアは、その環境にカチオン性界面活性剤が含まれる製品、例えば、毛髪コンディショナーと適合性である。
【００９６】
乳化剤にさらに非イオン性界面活性剤を含めることが特に好ましい。これにより、荷電界面活性剤乳化剤のみを用いて作製されるものよりも皮膚上または毛髪上に良好に沈着する粒子が作製されると考えられる。また、非イオン性界面活性剤は、安定なミニエマルジョンの形成が促進されるように親水性であることが好ましい。１０モルより多くのエトキシル化を有するアルコールエトキシレート、例えば、Ｓｙｎｐｅｒｏｎｉｃ  Ａ２０（Ｃ１３２０ＥＯ）では良好な結果が得られる。
【００９７】
試料のＤＬＳデータでは、界面活性剤レベルを増大させると粒径が小さくなることが示され、これも好都合である。
【００９８】
好ましくは、アニオン性乳化剤に対する非イオン性乳化剤の比率は１：１より大きいものがよく（すなわち、非イオン性が過剰に存在する）、全界面活性剤レベルは重合混合物の＞３％ｗｔであるのがよい。
【００９９】
補助界面活性剤：
典型的には、補助界面活性剤は重合中に分散相に存在させ、この一部が、得られる粒子中に残存する。本発明における使用のための好適な補助界面活性剤としては、ヘキサデカン、セチルアルコール、過酸化ラウロイル、ｎ−ドデシルメルカプタン、メタクリル酸ドデシル、メタクリル酸ステアリル、ポリスチレン、ポリデセン、鉱油、ミリスチン酸イソプロピル  Ｃ１３〜Ｃ１５アルキルベンゾエートおよびポリメタクリル酸メチルが挙げられる。
【０１００】
好ましい補助界面活性剤は、ヘキサデカン、ポリデセンおよびミリスチン酸イソプロピルを含むものである。
【０１０１】
油相のｗｔ％として、合計で補助界面活性剤は典型的には０〜２０％、好ましくは１〜１５％、より好ましくは（ｐｒｅｆ）２〜１２．５％である。
【０１０２】
触媒
存在させる反応体に応じて、あってもよい触媒を、エマルジョンの分散相に存在させてもよい。例えば、イソシアネート／ジオール反応では、触媒により、好都合にはイソシアネートから第１級アミン（これは、さらなるイソシアネートと反応してポリ尿素を形成し得る）への加水分解が最小限となり得、この不要な反応は、該方法の終了に過剰のジオールの残留をもたらし得、これは潜在的に悪臭の形成をもたらし得、架橋反応の妨げとなり得る。
【０１０３】
好適な触媒は、アミノまたは有機金属化合物、例えば、Ｎ，Ｎ’−ジメチルアミノエタノール、Ｎ，Ｎ’−ジメチルシクロヘキシルアミン、ビス−（２−ジメチルアミノエチル）エーテル、Ｎ，Ｎ’−ジメチルアセチルアミン、ジアミノビシクロオクタン、第一スズオクトアートおよびジブチルスズジラウレート、１，３−ビス（ジメチルアミノ）ブタン、ペンタメチルジエチレントリアミンおよびその混合物を含むものであり得る。
【０１０４】
必要とされる場合は、触媒レベルを、典型的には鎖成長モノマーに対して０．１〜２％にする。
【０１０５】
沈着助剤の結合
上記のように、重合は少なくとも２つの相で行われ得る。方法の一例では、初期にシェルを、好ましい実施形態では約６０セ氏温度より下、典型的には１５〜５５セ氏温度で行われる反応によって形成する。後期相では、コアを約７０セ氏温度より上、典型的には７０〜９５セ氏温度の好ましい温度で重合させる。どちらの反応も、重合が本質的に終了する充分に長い間進行させ、各ステージについて１〜３時間が典型的である。
【０１０６】
沈着助剤は、典型的にはシェル形成の終了時または終了しつつあるとき、例えば、さらなるシェル形成物質（例えば、さらなるイソシアネートおよびコモモマー（ｍｏｍｏｍｅｒ））も添加し、沈着助剤を、沈着助剤の一部を捕捉し、かつ「毛」に沈着助剤が含まれた「毛様」粒子をもたらすさらなるシェル物質の形成によって該粒子の外部表面に結合させる場合に添加する。択一例では、該粒子が本質的に完全に形成され得、沈着助剤が化学結合によって結合され得る。
【０１０７】
キトサン塩に加え、他の沈着助剤を存在させてもよい。このようなものは、好ましくは非イオン性物質であり、好適な沈着助剤としては以下のものが挙げられる。
【０１０８】
好ましい配合物：
本発明の一実施形態では、該粒子のコアは、ゴム状ポリマー物質、すなわち、保存条件下でゴム状であるようなＴｇを有するものを含むものである。この特性を有するコアの形成に好適な物質は、Ｃ２〜Ｃ３０、好ましくはＣ３〜Ｃ１８、より好ましくはＣ３〜Ｃ１２アシレートまたはメタクリレートであり、ブチルおよびメチル誘導体が特に好ましい。コアは、有益剤にとって良好な溶媒であることが意図される。
【０１０９】
好ましくは、粒子のシェルは、ガラス状物質、すなわち、保存条件下でガラス状であるようなＴｇを有するものである。この特性を有するシェルの形成に好適な物質としてはメタクリル酸メチルが挙げられる。シェルは、有益剤にとって速度論的バリアであること、ならびにカプセルの完全性を維持することが意図される。典型的には、シェルは１０〜１００ｎｍ厚、好ましくは２０〜４０ｎｍである。
【０１１０】
該粒子は、典型的には組成物中に、組成物全体の重量に対して０．００１％〜１０％、好ましくは０．００５％〜５％、最も好ましくは０．０１％〜３％のレベルで含められる。
【０１１１】
衣類トリートメント組成物
本発明の送達助剤結合粒子は洗濯用組成物に組み込まれ得る。これは、スラリー／分散液生成物を、該組成物のその他の成分の一部または全部と混合することにより、粉末では、好ましくは該成分上に噴霧することにより行われ得る。好都合には、スラリー／分散液は、充分に乾燥させる（するとしても）必要がなく、これにより有益剤のロスが低減される。
【０１１２】
このような洗濯用組成物での組成物中の活性成分は、好ましくは表面活性剤または衣類コンディショニング剤である。１種類より多くの活性成分を含めてもよい。一部の用途では、活性成分の混合物が使用され得る。
【０１１３】
本発明の組成物は、任意の物理的形態、例えば固体、例えば、粉末もしくは顆粒、タブレット、固形バー、ペースト、ゲルまたは液体、特に水系の液体であり得る。特に、該組成物は洗濯用組成物、特に、液体、粉末またはタブレット型の洗濯用組成物に使用され得る。液体は、加水分解および沈着助剤に対する酵素の攻撃の問題が液状組成物においてより顕著であるため特に好ましい。
【０１１４】
洗濯用組成物、特にメイン洗浄（衣類洗浄）組成物またはリンス添加型柔軟性付与組成物。メイン洗浄組成物に衣類柔軟性付与剤を含めてもよく、リンス添加型衣類柔軟性付与組成物に表面活性化合物、特に非イオン性表面活性化合物を含めてもよい。
【０１１５】
本発明による洗濯用組成物は１種類以上の酵素を含むものであることが好ましい。組成物中に存在させる場合、前述の酵素は、該組成物の重量に対して約０．００００１ｗｔ％〜約２ｗｔ％、約０．０００１ｗｔ％〜約１ｗｔ％またはさらに約０．００１ｗｔ％〜約０．５ｗｔ％の酵素タンパク質のレベルで存在させ得る。
【０１１６】
本発明の特に好ましい一実施形態は：
ａ）デキストランを含む粒子１種類以上の送達助剤を外部表面に有する有益剤送達粒子、好ましくは、該デキストランは５ｋＤを超える、好ましくは２０ｋＤを超える分子量を有するものであり、該粒子はさらに非多糖ポリマー（好ましくはアミノプラストポリマー）を含むものであってもよく、該有益剤は香料を含むものであってもよい、
ｂ）少なくとも１種類のアニオン性または非イオン性界面活性剤、および
ｃ）セルラーゼ、マンナーゼおよびその混合物から選択される酵素
を含む洗濯物トリートメント組成物を提供する。
【０１１７】
ヘアトリートメント組成物：
本発明の組成物は、ヘアトリートメント組成物、特に、ヘアシャンプー組成物および／またはヘアコンディショニング組成物のいずれかであることが特に好ましい。上記のように、送達される好ましい有益剤は、芳香剤、保湿剤、日焼け止め剤、美白剤、抗菌剤（特に、フケ防止剤）、油類、防虫剤、色保護剤および染料のうちの１種類以上である。
【０１１８】
ヘアトリートメント組成物における使用に適した界面活性剤を以下にさらに詳細に記載するが、特に好ましいヘアトリートメント（シャンプー）組成物は、３〜１８％ｗｔのアルキルエーテルスルフェート、１〜４％の双性イオン性または両性界面活性剤および０．１〜５％の無機塩の溶液を含むものである。
【０１１９】
本発明の特に好ましい一実施形態は：
ａ）デキストランを含む粒子１種類以上の送達助剤を外部表面に有する有益剤送達粒子、好ましくは、該デキストランは５ｋＤを超える、好ましくは２０ｋＤを超える分子量を有するものであり、該粒子はさらに非多糖ポリマー（好ましくはアミノプラストポリマー）を含むものであってもよく、該有益剤は香料を含むものであってもよい、
ｂ）少なくとも１種類のアニオン性または非イオン性界面活性剤
を含むヘアトリートメント組成物を提供する。
【０１２０】
ヘアコンディショニング組成物は、本発明の組成物が毛髪の遠位領域に有益剤含有粒子の特に良好な沈着もたらすが、沈着助剤なしの同等の組成物では該領域における沈着が不充分であるため、特に好ましい。
【０１２１】
製品における使用
本発明の最終製品組成物は、任意の物理的形態、例えば固形バー、ペースト、ゲルもしくは液体、または特に水系の液体であり得る。
【０１２２】
該粒子は、典型的には前記組成物中に、組成物全体の重量に対して０．００１％〜１０％、好ましくは０．００５％〜７．５５％、最も好ましくは０．０１％〜５％のレベルで含める。
【０１２３】
最終用途に応じて、本発明による組成物には、典型的には、界面活性剤（これは、アニオン性、カチオン性、非イオン性、双性イオン性および両性（ａｍｐｐｈｏｔｅｒｉｃ）であり得る）、界面活性剤および／または非界面活性剤コンディショニング剤、脂肪族アルコール、懸濁剤ならびに増粘剤、ポリマー、シリコーンならびに遮光剤のうちの１種類以上を含有させる。
【０１２４】
界面活性剤
本発明の粒子は、好都合には、特に、毛髪のトリートメントまたは洗濯における使用のための界面活性剤含有組成物に組み込まれ得る。
【０１２５】
本発明の粒子を含む配合型組成物には、石鹸ならびに非石鹸アニオン性、カチオン性、非イオン性、両性および双性イオン性表面活性化合物ならびにその混合物から選択され得る表面活性化合物（界面活性剤）が含有され得る。多くの適当な表面活性化合物が利用可能であり、文献、例えば、「Ｓｕｒｆａｃｅ−Ａｃｔｉｖｅ  Ａｇｅｎｔｓ  ａｎｄ  Ｄｅｔｅｒｇｅｎｔｓ」，第Ｉ巻および第ＩＩ巻（Ｓｃｈｗａｒｔｚ，Ｐｅｒｒｙ  ａｎｄ  Ｂｅｒｃｈ）に充分に記載されている。使用され得る好ましい表面活性化合物は石鹸ならびに合成の非石鹸アニオン性、および非イオン性化合物である。
【０１２６】
界面活性剤：アニオン性
洗濯用組成物用の好適なアニオン性界面活性剤は当業者によく知られている。例としては、第１級および第２級アルキルスルフェート、特にＣ８〜Ｃ１８第１級アルキルスルフェート；アルキルエーテルスルフェート；オレフィンスルホネート；アルキルキシレンスルホネート；ジアルキルスルホスクシネート；ならびに脂肪酸エステルスルホネートが挙げられる。ナトリウム塩が一般的に好ましい。アルキル硫酸ナトリウムは低コストのため、一般的に洗濯用組成物中に存在させるアニオン性界面活性剤の大部分を占める。
【０１２７】
ヘアトリートメント組成物では、好適なアニオン性クレンジング界面活性剤の例は、アルキルスルフェート、アルキルエーテルスルフェート、アルカリルスルホネート、アルカノイルイセチオネート、アルキルスクシネート、アルキルスルホスクシネート、アルキルエーテルスルホスクシネート、Ｎ−アルキルサルコシネート、アルキルホスフェート、アルキルエーテルホスフェート、およびアルキルエーテルカルボン酸およびその塩、特に、そのナトリウム、マグネシウム、アンモニウムならびにモノ−、ジ−およびトリエタノールアミン塩である。皮膚および毛髪用組成物に使用される界面活性剤ブレンドは、一般的に、洗濯用組成物に使用されるものよりも低刺激性である。
【０１２８】
該アルキルおよびアシル基は、一般的に８〜１８個、好ましくは１０〜１６個の炭素原子を含むものであり、不飽和であってもよい。アルキルエーテルスルフェート、アルキルエーテルスルホスクシネート、アルキルエーテルホスフェートならびにアルキルエーテルカルボン酸およびその塩は、１分子あたり１〜２０個のエチレンオキシドまたはプロピレンオキシド単位を含むものであり得る。
【０１２９】
本発明のヘアシャンプー組成物における使用のための典型的なアニオン性クレンジング界面活性剤としては、オレイルコハク酸ナトリウム、スルホコハク酸ラウリルアンモニウム、ラウリル硫酸ナトリウム、ラウリルエーテル硫酸ナトリウム、ラウリルエーテルスルホコハク酸ナトリウム、ラウリル硫酸アンモニウム、ラウリルエーテル硫酸アンモニウム、ドデシルベンゼンスルホン酸ナトリウム、ドデシルベンゼンスルホン酸トリエタノールアミン、ココイルイセチオン酸ナトリウム、ラウリルイセチオン酸ナトリウム、ラウリルエーテルカルボン酸およびＮ−ラウリルサルコシン酸ナトリウムのうちの１種類以上が挙げられる。
【０１３０】
ヘアトリートメント組成物における使用のための好ましいアニオン性界面活性剤は、アルキルスルフェートおよびアルキルエーテルスルフェートである。このような物質は、それぞれ、式Ｒ２ＯＳＯ３ＭおよびＲ１Ｏ（Ｃ２Ｈ４Ｏ）ｘＳＯ３Ｍを有するものであり、式中、Ｒ２は、８〜１８個の炭素原子のアルキルまたはアルケニルであり、ｘは約１〜約１０の値を有する整数であり、Ｍはカチオン（アンモニウムなど）、アルカノールアミン（トリエタノールアミンなど）、一価金属（ナトリウムおよびカリウムなど）ならびに多価金属カチオン（マグネシウムおよびカルシウムなど）である。最も好ましくは毛髪用組成物では、Ｒ２は、分枝鎖ではなく線状の１２〜１４個の炭素原子を有するものである。
【０１３１】
ヘアトリートメント組成物における使用のための好ましいアニオン性界面活性剤は、ラウリル硫酸ナトリウムおよびラウリルエーテル硫酸ナトリウム（ｎ）ＥＯ（ｎは１〜３である）；より好ましくはラウリルエーテル硫酸ナトリウム（ｎ）ＥＯ（ｎは１〜３である）；最も好ましくはラウリルエーテル硫酸ナトリウム（ｎ）ＥＯ（ｎ＝１）から選択される。
【０１３２】
好ましくは、本発明によるヘアトリートメント組成物中のアルキルエーテルスルフェートレベルは、組成物全体の０．５ｗｔ％〜２５ｗｔ％、より好ましくは組成物全体の３ｗｔ％〜１８ｗｔ％、最も好ましくは６ｗｔ％〜１５ｗｔ％である。
【０１３３】
本発明のヘアトリートメント（シャンプー）組成物中のアニオン性クレンジング界面活性剤の総量は、一般的に０．５ｗｔ％〜４５ｗｔ％、より好ましくは１．５ｗｔ％〜２０ｗｔ％の範囲である。
【０１３４】
界面活性剤：非イオン性
本発明による組成物に非イオン性界面活性剤を含有させてもよい。使用され得る非イオン性界面活性剤としては、第１級および第２級アルコールエトキシレート、特に、アルコール１モルあたり平均１〜２０モルのエチレンオキシドを有するＣ８〜Ｃ２０脂肪族アルコールエトキシレート型、さらに、特に、アルコール１モルあたり平均１〜１０モルのエチレンオキシドを有するＣ１０〜Ｃｌ５第１級および第２級脂肪族アルコールエトキシレート型が挙げられる。非エトキシレート型の非イオン性界面活性剤としては、アルキルポリグリコシド、グリセロールモノエーテル、およびポリヒドロキシアミド（グルカミド）が挙げられる。
【０１３５】
非イオン性界面活性剤レベルは、本発明の粒子を含む完全配合型の洗濯用組成物の重量に対して０ｗｔ％〜３０ｗｔ％、好ましくは１ｗｔ％〜２５ｗｔ％、最も好ましくは２ｗｔ％〜１５ｗｔ％である場合が好ましい。
【０１３６】
本発明のヘアトリートメント組成物には非イオン性界面活性剤が含有され得る。最も好ましくは、非イオン性界面活性剤は、ヘアトリートメント組成物中に０〜５ｗｔ％の範囲で存在させる。
【０１３７】
本発明のヘアトリートメント組成物中に含めることができる非イオン性界面活性剤としては、脂肪族（Ｃ８〜Ｃ１８）第１級または第２級の線状または分枝鎖アルコールまたはフェノールとアルキレンオキシド（通常、エチレンオキシド，一般的には６〜３０個のエチレンオキシド基を有するもの）との縮合生成物が挙げられる。アルキルエトキシレートが特に好ましい。最も好ましいのは、式Ｒ−（ＯＣＨ２ＣＨ２）ｎＯＨ（式中、ＲはＣ１２〜Ｃ１５のアルキル鎖であり、ｎは５〜９である）を有するアルキルエトキシレートである。
【０１３８】
ヘアトリートメント組成物における使用のための他の好適な非イオン性界面活性剤としては、モノ−またはジ−アルキルアルカノールアミドが挙げられる。例としては、ココモノ−またはジ−エタノールアミドおよびココモノ−イソプロパノールアミドが挙げられる。
【０１３９】
本発明の組成物に含めることができるさらなる非イオン性界面活性剤は、アルキルポリグリコシド（ＡＰＧ）である。典型的には、ＡＰＧは、１個以上のグリコシル基のブロックに連結した（橋かけ基を介していてもよい）アルキル基を含むものである。好ましいＡＰＧは、以下の式：
ＲＯ−（Ｇ）ｎ
によって規定され、式中、Ｒは分枝鎖または直鎖アルキル基（これは飽和型であっても不飽和であってもよい）であり、Ｇは糖鎖基である。
【０１４０】
Ｒは、約Ｃ５〜約Ｃ２０の平均アルキル鎖長を示すものであり得る。好ましくは、Ｒは、約Ｃ８〜約Ｃ１２の平均アルキル鎖長を示すものである。最も好ましくは、Ｒの値は約９．５〜約１０．５である。Ｇは、Ｃ５またはＣ６単糖残基から選択され得、好ましくはグルコシドである。Ｇは、グルコース、キシロース、ラクトース、フルクトース、マンノースおよびその誘導体を含む群から選択され得る。好ましくは、Ｇはグルコースである。
【０１４１】
ＡＰＧの重合度ｎは、約１〜約１０またはそれ以上の値を有するものであり得る。好ましくは、ｎの値は約１．１〜約２である。最も好ましくは、ｎの値は約１．３〜約１．５である。
【０１４２】
本発明における使用のための好適なアルキルポリグリコシドは市販されており、例えば：Ｏｒａｍｉｘ  ＮＳ１０（Ｓｅｐｐｉｃ製）；Ｐｌａｎｔａｒｅｎ  １２００およびＰｌａｎｔａｒｅｎ  ２０００（Ｈｅｎｋｅｌ製）で特定される物質が挙げられる。
【０１４３】
本発明の組成物に含めることができる他の糖由来非イオン性界面活性剤としては、Ｃ１０〜Ｃ１８  Ｎ−アルキル（Ｃｌ〜Ｃ６）ポリヒドロキシ脂肪酸アミド（例えば、国際公開第９２０６１５４号および米国特許第５１９４６３９号明細書に記載のＣ１２〜Ｃ１８  Ｎ−メチルグルカミドなど）ならびにＮ−アルコキシポリヒドロキシ脂肪酸アミド（Ｃ１０〜Ｃ１８  Ｎ−（３−メトキシプロピル）グルカミドなど）が挙げられる。
【０１４４】
界面活性剤：両性または双性イオン性
両性または双性イオン性界面活性剤を本発明による組成物、特にヘアトリートメント組成物の０．５ｗｔ％〜約８ｗｔ％、好ましくは１ｗｔ％〜４ｗｔ％の範囲の量で含めることもできる。
【０１４５】
両性または双性イオン性界面活性剤の例としては、アルキルアミンオキシド、アルキルベタイン、アルキルアミドプロピルベタイン、アルキルスルホベタイン（スルタイン）、アルキルグリシネート、アルキルカルボキシグリシネート、アルキルアンホアセテート、アルキルアンホプロピオネート、アルキルアンホグリシネート、アルキルアミドプロピルヒドロキシスルタイン、アシルタウレートおよびアシルグルタメート（ここで、該アルキルおよびアシル基は８〜１９個の炭素原子を有するものである）が挙げられる。本発明のヘアトリートメント組成物における使用のための典型的な両性および双性イオン性界面活性剤としては、ラウリルアミンオキシド、ココジメチルスルホプロピルベタイン、ラウリルベタイン、コカミドプロピルベタインおよびココアンホ酢酸ナトリウムが挙げられる。
【０１４６】
特に好ましい両性または双性イオン性界面活性剤はコカミドプロピルベタインである。
【０１４７】
前述の両性または双性イオン性界面活性剤の任意の混合物もまた好適であり得る。好ましい混合物は、コカミドプロピルベタインと上記のさらなる両性または双性イオン性界面活性剤とのものである。好ましいさらなる両性または双性イオン性界面活性剤はココアンホ酢酸ナトリウムである。
【０１４８】
界面活性剤：カチオン性
ヘアトリートメントまたは洗濯用途のための本発明の組成物は、いわゆるコンディショナーであり得、典型的にはコンディショニング界面活性剤が含有されている。ヘアコンディショナー組成物は、典型的には、美容用品に許容され得、かつ毛髪への局所適用に適した１種類以上のコンディショニング界面活性剤を含むものである。
【０１４９】
好適なコンディショニング界面活性剤としては、単独または混合して使用されるカチオン性界面活性剤から選択されるものが挙げられる。好ましくは、カチオン性界面活性剤は式Ｎ＋Ｒ１Ｒ２Ｒ３Ｒ４を有するものであり、式中、Ｒ１、Ｒ２、Ｒ３およびＲ４は独立して、（Ｃ１〜Ｃ３０）アルキルまたはベンジルである。好ましくは、Ｒ１、Ｒ２、Ｒ３およびＲ４のうち１つ、２つまたは３つが独立して、（Ｃ４〜Ｃ３０）アルキルであり、その他のＲ１、Ｒ２、Ｒ３およびＲ４基（１つまたは複数）が（Ｃ１〜Ｃ６）アルキルまたはベンジルである。より好ましくは、Ｒ１、Ｒ２、Ｒ３およびＲ４のうち１つまたは２つが独立して、（Ｃ６〜Ｃ３０）アルキルであり、その他のＲ１、Ｒ２、Ｒ３およびＲ４基が（Ｃ１〜Ｃ６）アルキルまたはベンジル基である。アルキル基は、該アルキル鎖内に１つ以上のエステル（−ＯＣＯ−もしくは−ＣＯＯ−）および／またはエーテル（−Ｏ−）結合を含むものであってもよい。アルキル基は１個以上のヒドロキシル基で置換されていてもよい。アルキル基は直鎖であっても分枝鎖であってもよく、３個以上の炭素原子を有するアルキル基では環状であってもよい。アルキル基は飽和型であってもよく、１つ以上の炭素−炭素二重結合を含むもの（例えば、オレイル）であってもよい。アルキル基は、アルキル鎖上に１個以上のエチレンオキシ基を有するエトキシレート型であってもよい。
【０１５０】
本発明によるコンディショナー組成物における使用のための好適なカチオン性界面活性剤としては、セチルトリメチルアンモニウムクロリド、ベヘニルトリメチルアンモニウムクロリド、セチルピリジニウムクロリド、テトラメチルアンモニウムクロリド、テトラエチルアンモニウムクロリド、オクチルトリメチルアンモニウムクロリド、ドデシルトリメチルアンモニウムクロリド、ヘキサデシルトリメチルアンモニウムクロリド、オクチルジメチルベンジルアンモニウムクロリド、デシルジメチルベンジルアンモニウムクロリド、ステアリルジメチルベンジルアンモニウムクロリド、ジドデシルジメチルアンモニウムクロリド、ジオクタデシルジメチルアンモニウムクロリド、獣脂トリメチルアンモニウムクロリド、二水素化獣脂ジメチルアンモニウムクロリド（例えば、Ａｒｑｕａｄ  ２ＨＴ／７５（Ａｋｚｏ  Ｎｏｂｅｌ製））、ココトリメチルアンモニウムクロリド、ＰＥＧ−２−オレアンモニウムクロリドおよび対応するその水酸化物が挙げられる。さらなる好適なカチオン性界面活性剤としては、ＣＴＦＡ表示名を有する物質クオタニウム−５、クオタニウム−３１およびクオタニウム−１８が挙げられる。前述の物質の任意の混合物もまた好適であり得る。本発明によるコンディショナーにおける使用に特に有用なカチオン性界面活性剤は、セチルトリメチルアンモニウムクロリド（例えば、ＧＥＮＡＭＩＮ  ＣＴＡＣとしてＨｏｅｃｈｓｔ  Ｃｅｌａｎｅｓｅから市販されている）である。本発明によるコンディショナーにおける使用に特に有用な別のカチオン性界面活性剤は、ベヘニルトリメチルアンモニウムクロリド（例えば、ＧＥＮＡＭＩＮ  ＫＤＭＰとしてＣｌａｒｉａｎｔから市販されている）である。
【０１５１】
本発明における、特にヘアトリートメント組成物における単独または１種類以上の他のカチオン性界面活性剤と一緒のいずれかでの使用のための好適なカチオン性界面活性剤の類型の別の例は、以下の（ｉ）と（ｉｉ）：
（ｉ）一般式（Ｉ）：
Ｒ１ＣＯＮＨ（ＣＨ２）ｍＮ（Ｒ２）Ｒ３
（式中、Ｒ１は、１０個以上の炭素原子を有するヒドロカルビル鎖であり、Ｒ２およびＲ３は独立して、１〜１０個の炭素原子のヒドロカルビル鎖から選択され、ｍは整数１〜約１０である）
に対応するアミドアミンと
（ｉｉ）酸
の組合せである。
【０１５２】
本明細書で用いる場合、ヒドロカルビル鎖という用語は、アルキルまたはアルケニル鎖を意味する。
【０１５３】
好ましいアミドアミン化合物は、
式中、
Ｒ１が、約１１〜約２４個の炭素原子を有するヒドロカルビル残基であり、
Ｒ２およびＲ３が各々、独立して、１〜約４個の炭素原子を有するヒドロカルビル残基、好ましくはアルキル基であり、ｍが整数１〜約４である
式（Ｉ）に対応するものである。
【０１５４】
好ましくは、Ｒ２およびＲ３はメチルまたはエチル基である。
【０１５５】
好ましくは、ｍは２または３である、すなわち、エチレンまたはプロピレン基である。
【０１５６】
本明細書において有用な好ましいアミドアミンとしては、ステアルアミド−プロピルジメチルアミン、ステアルアミドプロピル−ジエチルアミン、ステアルアミドエチル−ジエチルアミン、ステアルアミドエチル−ジメチルアミン、パルミトアミドプロピル−ジメチルアミン、パルミトアミドプロピル−ジエチルアミン、パルミトアミドエチル−ジエチルアミン、パルミトアミドエチル−ジメチルアミン、ベヘンアミドプロピル−ジメチルアミン、ベヘンアミドプロピル−ジエチルミン（ｄｉｅｔｈｙｌｍｉｎｅ）、ベヘンアミドエチル−ジエチルアミン、ベヘンアミドエチル−ジメチルアミン、アラキドアミドプロピル−ジメチルアミン、アラキドアミドプロピル−ジエチルアミン、アラキド−アミドエチル−ジエチルアミン、アラキドアミドエチル−ジメチルアミン、およびその混合物が挙げられる。
【０１５７】
本明細書において有用な特に好ましいアミドアミンは、ステアルアミドプロピル−ジメチルアミン、ステアルアミドエチル−ジエチルアミン、およびその混合物である。
【０１５８】
本明細書において有用な市販のアミドアミンとしては：ステアルアミドプロピルジメチルアミン（商標名ＬＥＸＡＭＩＮＥ  Ｓ−１３，Ｉｎｏｌｅｘ（Ｐｈｉｌａｄｅｌｐｈｉａ  Ｐｅｎｎｓｙｌｖａｎｉａ，ＵＳＡ）製）およびＡＭＩＤＯＡＭＩＮＥ  ＭＳＰ（Ｎｉｋｋｏ（東京，日本）製）、ステアルアミドエチルジエチルアミン（商標名ＡＭＩＤＯＡＭＩＮＥ  Ｓ，Ｎｉｋｋｏ製）、ベヘンアミドプロピルジメチルアミン（商標名ＩＮＣＲＯＭＩＮＥ  ＢＢ，Ｃｒｏｄａ（Ｎｏｒｔｈ  Ｈｕｍｂｅｒｓｉｄｅ，Ｅｎｇｌａｎｄ）製）、ならびに種々のアミドアミン（商標名ＳＣＨＥＲＣＯＤＩＮＥシリーズ，Ｓｃｈｅｒ（Ｃｌｉｆｔｏｎ  Ｎｅｗ  Ｊｅｒｓｅｙ，ＵＳＡ）製）が挙げられる。
【０１５９】
プロトン化させる酸を存在させてもよい。酸は、コンディショナー組成物中のアミドアミンをプロトン化し得る任意の有機酸または鉱酸であり得る。本明細書において有用な好適な酸としては、塩酸、酢酸、酒石酸、フマル酸、乳酸、リンゴ酸、コハク酸、およびその混合物が挙げられる。好ましくは、酸は、酢酸、酒石酸、塩酸、フマル酸、乳酸およびその混合物からなる群より選択される。
【０１６０】
酸の主な役割は、ヘアトリートメント組成物中のアミドアミンをプロトン化し、したがってヘアトリートメント組成物中にてインサイチュで第３級アミン塩（ＴＡＳ）を形成することである。ＴＡＳは実際には、非永久的第４級アンモニウムまたはプソイド−第４級アンモニウムカチオン性界面活性剤である。
【０１６１】
好適には、酸は、存在するアミドアミンの９５モル％（２９３Ｋ）より多くがプロトン化されるのに充分な量で含める。
【０１６２】
本発明の毛髪コンディショナーでは、カチオン性界面活性剤レベルは一般的に、該組成物の重量に対して０．０１％〜１０％、より好ましくは０．０５％〜７．５％、最も好ましくは０．１％〜５％の範囲である。
【０１６３】
洗濯用コンディショナーでは、希薄製品は、典型的には約８％まで、好ましくは２〜８重量％の柔軟性付与活性剤が含有されるが、濃縮型製品には、約８〜約５０％、好ましくは８〜２５重量％の活性剤が含有され得る。活性剤が約２５重量％より多い組成物は、活性剤の系にもよるが「超濃縮型」と規定され、これもまた本発明に包含されることを意図する。衣類コンディショニング剤は、例えば、該組成物の重量に対して好ましくは２％〜３０％、より好ましくは５％〜２５％、最も好ましくは８％〜２０％の量で使用され得る。本発明の衣類用コンディショナー組成物における使用のための衣類用柔軟性付与活性剤は、典型的には、エステル結合型トリエタノールアミン第４級アンモニウム化合物（ＱＡＣ）を含むものである。
【０１６４】
好ましくは、ＱＡＣは、ヤシまたは獣脂供給原料由来のものである。このような供給原料は純粋なものであってもよく、大部分がヤシまたは獣脂系のものであってもよい。種々の供給原料のブレンドを使用してもよい。ＱＡＣの脂肪酸鎖は、好ましくは、脂肪酸鎖全体の重量に対して２０〜３５ｗｔ％の飽和Ｃ１８鎖と２０〜３５ｗｔ％の単不飽和Ｃ１８鎖を含むものである。洗濯用コンディショナーとしての好ましい実施形態では、ＱＡＣの脂肪酸鎖は、脂肪酸鎖全体の重量に対して２５〜３０ｗｔ％、好ましくは２６〜２８ｗｔ％の飽和Ｃ１８鎖と２５〜３０ｗｔ％、好ましくは２６〜２８ｗｔ％の単不飽和Ｃ１８鎖を含むものである。さらに好ましい実施形態では、ＱＡＣの脂肪酸鎖は、脂肪酸鎖全体の重量に対して３０〜３５ｗｔ％、好ましくは３３〜３５ｗｔ％の飽和Ｃ１８鎖と２４〜３５ｗｔ％、好ましくは２７〜３２ｗｔ％の単不飽和Ｃ１８鎖を含むものである。本発明における使用のための好ましい第４級アンモニウム物質は、３０〜４５、好ましくは３０〜４２、最も好ましくは３６の全ヨウ素価を有する供給原料に由来するものであり得る。
【０１６５】
市販の好適な洗濯用コンディショニング剤の例としては、Ｓｔｅｐａｎｔｅｘ（商標）ＵＬ８５（Ｓｔｅｐａｎ製）、Ｐｒａｐａｇｅｎ（商標）ＴＱＬ（Ｃｌａｒｉａｎｔ製）、およびＴｅｔｒａｎｙｌ（商標）ＡＨＴ−１（花王製）（メチル硫酸トリエタノールアンモニウムの両方のジ−［硬化獣脂エステル］）、ＡＴ−１（メチル硫酸トリエタノールアンモニウムのジ−［獣脂エステル］）およびＬ５／９０（メチル硫酸トリエタノールアンモニウムのジ−［ヤシエステル］）（ともに花王製）、ならびにＲｅｗｏｑｕａｔ（商標）ＷＥ１５（Ｃ１０〜Ｃ２０およびＣ１６〜Ｃ１８不飽和脂肪酸に由来する脂肪族アシル残基を有するメチル硫酸トリエタノール−アンモニウムのジ−エステル）（Ｗｉｔｃｏ  Ｃｏｒｐｏｒａｔｉｏｎ製）が挙げられる。また、第４級アンモニウム活性剤、例えば、Ｓｔｅｐａｎｔｅｘ  ＶＫ９０、Ｓｔｅｐａｎｔｅｘ  ＶＴ９０、ＳＰ８８（Ｓｔｅｐａｎ製）、Ｃｅｃａ  Ｎｏｒａｍｉｎｅ、Ｐｒａｐａｇｅｎ  ＴＱ（Ｃｌａｒｉａｎｔ製）、Ｄｅｈｙｑｕａｒｔ  ＡＵ−５７（Ｃｏｇｎｉｓ製）、Ｒｅｗｏｑｕａｔ  ＷＥ１８（Ｄｅｇｕｓｓａ製）ならびにＴｅｔｒａｎｙｌ  Ｌ１９０  Ｐ、Ｔｅｔｒａｎｙｌ  Ｌ１９０  ＳＰおよびＴｅｔｒａｎｙｌ  Ｌ１９０  Ｓ（すべて花王製）も好適である。
【０１６６】
洗濯用コンディショナーでは、綿くず（ｆｌｏｃ）抑制剤としての非イオン性剤の存在により、粘稠性の「希薄」衣類用コンディショナー組成物の形成が可能となり、それにより使用時に綿くず形成（ｆｌｏｃｃｕｌａｔｅ）が生じない。ｃｏｃｏ鎖および２５個のＥＯ基を主体とするＬｕｔｅｎｓｏｌ（商標）ＡＴ２５（ＢＡＳＦ）は、好適な非イオン性（ｎｏｎｏｉｏｎｉｃ）界面活性剤の一例である。他の好適な界面活性剤としては、Ｒｅｎｅｘ  ３６（Ｔｒｉｄｅｃｅｔｈ−６）（Ｕｎｉｑｅｍａ製）；Ｔｅｒｇｉｔｏｌ  １５−Ｓ３（Ｄｏｗ  Ｃｈｅｍｉｃａｌ  Ｃｏ．製）；Ｄｉｈｙｄｒｏｌ  ＬＴ７（Ｔｈａｉ  Ｅｔｈｏｘｙｌａｔｅ  ｌｔｄ製）；Ｃｒｅｍｏｐｈｏｒ  ＣＯ４０（ＢＡＳＦ製）およびＮｅｏｄｏｌ  ９１−８（Ｓｈｅｌｌ製）が挙げられる。
【０１６７】
油性コンディショニング剤：
本発明による組成物、特にヘアトリートメント組成物にはまた、分散型の非揮発性水不溶性油性コンディショニング剤を含めてもよい。好ましくは、かかる非シリコーンコンディショニング油性コンディショニング剤を毛髪コンディショナー組成物中に存在させる。
【０１６８】
「不溶性」により、コンディショニング剤が２５℃において０．１％（ｗ／ｗ）の濃度で水（蒸留水または同等水）中に可溶性でないことを意図する。
【０１６９】
好適な油性または脂肪性コンディショニング剤は、炭化水素油、脂肪酸エステルおよびその混合物から選択される。直鎖炭化水素油は、好ましくは約１２〜約３０個の炭素原子を含むものである。また、アルケニルモノマー（Ｃ２〜Ｃ６アルケニルモノマーなど）のポリマー炭化水素も好適である。
【０１７０】
好適な炭化水素油の具体例としては、パラフィン油、鉱油、飽和および不飽和のドデカン、飽和および不飽和のトリデカン、飽和および不飽和のテトラデカン、飽和および不飽和のペンタデカン、飽和および不飽和のヘキサデカン、ならびにその混合物が挙げられる。これらの化合物の分枝鎖異性体ならびにより鎖長の炭化水素もまた使用され得る。
【０１７１】
好適な脂肪酸エステルは、少なくとも１０個の炭素原子を有することを特徴とするものであり、脂肪酸またはアルコールに由来するヒドロカルビル鎖を有するエステルが挙げられる。モノカルボン酸エステルとしては、式Ｒ’ＣＯＯＲのアルコールおよび／または酸のエステルが挙げられ、式中、Ｒ’およびＲは独立して、アルキルまたはアルケニル原子団を表し、Ｒ’およびＲの炭素原子の合計は少なくとも１０、好ましくは少なくとも２０である。カルボン酸のジ−およびトリアルキルならびにアルケニルエステルもまた使用され得る。
【０１７２】
特に好ましい脂肪酸エステルは、モノ−、ジ−およびトリグリセリド、より詳しくはグリセロールと長鎖カルボン酸（Ｃ１〜Ｃ２２カルボン酸など）のモノ−、ジ−、およびトリ−エステルである。好ましい物質としては、ココアバター、ヤシステアリン、ヒマワリ油、ダイズ油およびココナッツ油が挙げられる。
【０１７３】
油性または脂肪性物質は、好適には、０．０５ｗｔ％〜１０ｗｔ％、好ましくは０．２ｗｔ％〜５ｗｔ％、より好ましくは約０．５ｗｔ％〜３ｗｔ％のレベルで存在させる。「油」は、本明細書で用いる場合、香料物質がＡｒｃｔａｎｄｅｒの「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ」（ＩＳＢＮ−１０：０−９３１７１０−３６−７）において臭気物質として記載されている、または種々のデータベース、例えば、Ｆｌａｖｏｕｒｂａｓｅ  ２０１０，ＥＳＯ  ２０００（２００６改訂）およびＰＭＰ  ２００１において臭気物質として記載されているという点で、香料物質とは区別する。香料物質は、一般的に成分の複合混合物の一部として存在させ、このとき各臭気成分は、全体としての組成物の０．５％ｗｔ未満のレベルで存在させる。他の目的で存在させる油は、一般的に、全体としての組成物の０．５％ｗｔを超えるレベルで存在させる。
【０１７４】
本発明の洗濯用組成物に非カチオン性柔軟性付与物質を含有させてもよく、これは、好ましくは油、より好ましくは油性糖誘導体である。
【０１７５】
脂肪族アルコール：
本発明のヘアコンディショナーにはまた、典型的には脂肪族アルコールも組み込まれる。該組成物中における脂肪族アルコールとカチオン性界面活性剤の併用は、これにより、カチオン性界面活性剤が分散されたラメラ相の形成がもたらされるため、特に好都合であると考えられる。
【０１７６】
代表的な脂肪族アルコールは、８〜２２個、より好ましくは１６〜２２個の炭素原子を含むものである。脂肪族アルコールは、典型的には、直鎖アルキル基を含む化合物である。好適な脂肪族アルコールの例としては、セチルアルコール、ステアリルアルコールおよびその混合物が挙げられる。コンディショナー組成物におけるこのような物質の使用もまた、該物質が本発明の組成物の全体的なコンディショニング特性に寄与するという点で好都合である。
【０１７７】
本発明の毛髪コンディショナー中の脂肪族アルコールレベルは、一般的に、該組成物の重量に対して０．０１〜１０％、好ましくは０．１％〜８％、より好ましくは０．２％〜７％、最も好ましくは０．３％〜６％の範囲である。脂肪族アルコールに対するカチオン性界面活性剤の重量比は、好適には１：１〜１：１０、好ましくは１：１．５〜１：８、最適には１：２〜１：５である。ヘアトリートメント組成物中における脂肪族アルコールに対するカチオン性界面活性剤の重量比が大きすぎると、該組成物による目への刺激がもたらされることがあり得る。該重量比が小さすぎると、一部の消費者にとって髪にきしみを感じることになり得る。
【０１７８】
脂肪族アルコールは、洗濯用コンディショナー中に脂肪族錯化剤として存在させ得、好ましくは該組成物の総重量に対して０．３〜５重量％より多い量で存在させる。より好ましくは、該脂肪族成分は０．４〜４％の量で存在させる。脂肪族錯化剤に対する第４級アンモニウム衣類用柔軟性付与物質のモノエステル成分の重量比は、好ましくは５：１〜１：５、より好ましくは４：１〜１：４、最も好ましくは３：１〜１：３、例えば２：１〜１：２である。
【０１７９】
懸濁剤：
好ましくは、本発明の水性組成物は、さらに懸濁剤および／または粘度向上剤を含むものであり得る。
【０１８０】
好適な物質の例としては：天然ガム、例えば、カラギーナン、キサンタンガム、アラビアガム、ガムトラガカントおよびグアーガムならびにその誘導体、例えば、ヒドロキシプロピルグアーおよびグアーヒドロキシプロピルトリモニウムクロリド；無機増粘剤、例えば、コロイド状ケイ酸アルミニウムマグネシウム（ビーガム）、微粉化シリカ、天然クレイ（ベントナイトなど）および合成クレイ（Ｌａｐｏｎｉｔｅ（Ｌａｐｏｒｔｅ  Ｉｎｄｕｓｔｒｉｅｓ  Ｌｔｄ製）として入手可能な合成ヘクトライトなど）が挙げられる。
【０１８１】
好ましいのは、ポリアクリル酸、アクリル酸の架橋ポリマー、アクリル酸と疎水性モノマーのコポリマー、カルボン酸含有モノマーとアクリル酸エステルのコポリマー、アクリル酸とアクリル酸エステルの架橋コポリマー、ヘテロ多糖ガムおよび結晶性長鎖アシル誘導体から選択される物質である。長鎖アシル誘導体は、望ましくは、エチレングリコールステアレート、１６〜２２個の炭素原子を有する脂肪酸のアルカノールアミドおよびその混合物から選択される。
【０１８２】
エチレングリコールジステアレートおよびポリエチレングリコール３ジステアレートは、該組成物に真珠光沢を付与するため好ましい長鎖アシル誘導体である。
【０１８３】
ポリアクリル酸は、カーボポール４２０、カーボポール４８８またはカーボポール４９３として市販されている。
【０１８４】
また、多官能性薬剤で架橋されたアクリル酸のポリマーも使用され得る；該ポリマーは、カーボポール９１０、カーボポール９３４、カーボポール９４１およびカーボポール９８０として市販されている。カルボン酸含有モノマーとアクリル酸エステルの好適なコポリマーの一例はカーボポール１３４２である。カーボポール（商標）物質はすべてＧｏｏｄｒｉｃｈから入手可能である。
【０１８５】
アクリル酸とアクリル酸エステルの好適な架橋ポリマーは、ペムレンＴＲ１またはペムレンＴＲ２である。好適なヘテロ多糖ガムはキサンタンガム（例えば、Ｋｅｌｚａｎ  ｍｕとして入手可能なもの）である。
【０１８６】
上記の懸濁剤の任意の混合物も使用され得る。好ましいのは、アクリル酸と結晶性長鎖アシル誘導体の架橋ポリマーの混合物である。
【０１８７】
懸濁剤は、一般的に、本発明のヘアトリートメント組成物中に、該組成物の総重量に対する懸濁剤の総重量で０．１％〜１０％、好ましくは０．５％〜６％、より好ましくは０．９％〜４％のレベルで存在させる。
【０１８８】
シリコーン：
本発明の組成物は、シリコーンの乳化液滴を含有するものであってもよい。ヘアトリートメント組成物では、これによりコンディショニング性能の向上がもたらされる。
【０１８９】
好適なシリコーンとしては、ポリジオルガノシロキサン、特に、ＣＴＦＡ表示名ジメチコーンを有するポリジメチルシロキサンが挙げられる。また、本発明の組成物（特に、シャンプーおよびコンディショナー）における使用には、ヒドロキシル末端基を有するポリジメチルシロキサン（これは、ＣＴＦＡ表示名ジメチコノールを有する）も好適である。また、本発明の組成物における使用に適しているのは、わずかに架橋度を有するシリコーンガムである（例えば、国際公開第９６／３１１８８号に記載）。
【０１９０】
乳化シリコーン自体（エマルジョンまたは最終組成物でなく）の粘度は、典型的には２５℃で少なくとも１０，０００ｃｓｔである。該シリコーン自体の粘度は、好ましくは少なくとも６０，０００ｃｓｔ、最も好ましくは少なくとも５００，０００ｃｓｔ、理想的には少なくとも１，０００，０００ｃｓｔである。好ましくは、該粘度は易配合性のため１０９ｃｓｔを超えない。
【０１９１】
本発明の組成物における使用のための乳化シリコーンは、典型的には、該組成物中において３０未満、好ましくは２０未満、より好ましくは１０ミクロン未満、理想的には０．０１〜１ミクロンの平均シリコーン液滴サイズを有するものである。０．１５ミクロンの平均シリコーン液滴サイズを有するシリコーンエマルジョンは一般的にマイクロエマルジョンと称される。
【０１９２】
本発明の組成物における使用のための乳化シリコーンは、典型的には、該組成物中において３０未満、好ましくは２０未満、より好ましくは１５未満のサイズを有するものである。好ましくは、平均シリコーン液滴は０．５ミクロンより大きく、より好ましくは１ミクロンより大きく、理想的には２〜８ミクロンである。
【０１９３】
シリコーン粒径は、レーザー光散乱手法によって、例えば２６００Ｄ  Ｐａｒｔｉｃｌｅ  Ｓｉｚｅｒ（Ｍａｌｖｅｒｎ  Ｉｎｓｔｒｕｍｅｎｔｓ製）を用いて測定され得る。
【０１９４】
好適な予備形成エマルジョンの例としては、Ｘｉａｍｅｔｅｒ  ＭＥＭ  １７８５およびマイクロエマルジョンＤＣ２−１８６５（Ｄｏｗ  Ｃｏｒｎｉｎｇ製）が挙げられる。これらは、ジメチコノールのエマルジョン／マイクロエマルジョンである。架橋シリコーンガムもまた予備乳化形態で入手可能であり、これは易配合性に好都合である。
【０１９５】
本発明の組成物、特にヘアトリートメント組成物に含めるのにさらに好ましい類型のシリコーンはアミノ官能性シリコーンである。「アミノ官能性シリコーン」により、少なくとも１個の第１級、第２級もしくは第３級アミン基または第４級アンモニウム基を含有しているシリコーンを意図する。好適なアミノ官能性シリコーンの例としては：ＣＴＦＡ表示名「アモジメチコーン」を有するポリシロキサンが挙げられる。
【０１９６】
本発明における使用に適したアミノ官能性シリコーンの具体例は、アミノシリコーン油ＤＣ２−８２２０、ＤＣ２−８１６６およびＤＣ２−８５６６（すべてＤｏｗ  Ｃｏｒｎｉｎｇ製）である。
【０１９７】
好適な第４級シリコーンポリマーはＥＰ−Ａ−０５３０９７４に記載されている。好ましい第４級シリコーンポリマーはＫ３４７４（Ｇｏｌｄｓｃｈｍｉｄｔ製）である。
【０１９８】
また、非イオン性および／またはカチオン性界面活性剤を用いたアミノ官能性シリコーン油のエマルジョンも好適である。
【０１９９】
アミノ官能性シリコーンの予備形成エマルジョンもまた、シリコーン油の供給元、例えば、Ｄｏｗ  ＣｏｒｎｉｎｇおよびＧｅｎｅｒａｌ  Ｅｌｅｃｔｒｉｃから入手可能である。具体例としては、ＤＣ９３９  Ｃａｔｉｏｎｉｃ  Ｅｍｕｌｓｉｏｎならびに非イオン性エマルジョンＤＣ２−７２２４、ＤＣ２−８４６７、ＤＣ２−８１７７およびＤＣ２−８１５４（すべてＤｏｗ  Ｃｏｒｎｉｎｇ製）が挙げられる。
【０２００】
シリコーンの総量は該組成物全体の好ましくは０．０１ｗｔ％〜１０％ｗｔであり、より好ましくは０．１ｗｔ％〜５ｗｔ％、最も好ましくは０．５ｗｔ％〜３ｗｔ％が好適なレベルである。
【０２０１】
カチオン性ポリマー：
カチオン性ポリマーは、性能向上のための本発明の毛髪トリートメント組成物における好ましい成分である。
【０２０２】
好適なカチオン性ポリマーは、カチオン性に置換されたホモポリマーであり得るか、または２種類より多くの型のモノマーから形成され得るものである。該ポリマーの重量平均（Ｍｗ）分子量は、一般的に１０００００〜２００万ダルトンである。該ポリマーは、カチオン性窒素含有基、例えば、第４級アンモニウムもしくはプロトン化アミノ基またはその混合物を有するものである。該ポリマーの分子量が小さすぎると、コンディショニング効果が不充分になる。大きすぎると、伸長粘度が高くなり、注入時に該組成物の糸引きがもたらされるという問題が起こり得る。
【０２０３】
カチオン性窒素含有基は、一般的に、カチオン性ポリマーの全モノマー単位のごく一部に置換基として存在させる。したがって、該ポリマーがホモポリマーでない場合、これは、スペーサーである非カチオン性モノマー単位を含有し得る。かかるポリマーは、ＣＴＦＡ  Ｃｏｓｍｅｔｉｃ  Ｉｎｇｒｅｄｉｅｎｔ  Ｄｉｒｅｃｔｏｒｙ，第３版に記載されている。非カチオン性モノマー単位に対するカチオン性モノマー単位の比率は、必要とされる範囲（これは一般的に０．２〜３．０ｍｅｑ／ｇｍである）のカチオン電荷密度を有するポリマーが得られるように選択される。該ポリマーのカチオン電荷密度は、好適には、ＵＳ  Ｐｈａｒｍａｃｏｐｏｅｉａの中の窒素測定のための化学的試験に記載のケルダール法によって測定される。
【０２０４】
好適なカチオン性ポリマーとしては、例えば、カチオン性アミンまたは第４級アンモニウム官能部を有するビニルモノマーと、水溶性スペーサーモノマー、例えば（メタ）アクリルアミド、アルキルおよびジアルキル（メタ）アクリルアミド、アルキル（メタ）アクリレート、ビニルカプロラクトンならびにビニルピロリジンとのコポリマーが挙げられる。アルキルおよびジアルキル置換モノマーは、好ましくは、Ｃ１〜Ｃ７アルキル基、より好ましくはＣ１〜３アルキル基を有するものである。他の好適なスペーサーとしては、ビニルエステル、ビニルアルコール、無水マレイン酸、プロピレングリコールおよびエチレングリコールが挙げられる。
【０２０５】
カチオン性アミンは、具体的な種および組成物のｐＨに応じて第１級、第２級または第３級アミンであり得る。一般に、第２級および第３級アミン、特に第３級が好ましい。
【０２０６】
アミン置換ビニルモノマーおよびアミンは、該アミンの形態で重合させ、次いで第４級化によってアンモニウムに変換してもよい。
【０２０７】
カチオン性ポリマーは、アミン−および／または第４級アンモニウム−置換モノマー由来のモノマー単位および／または適合性のスペーサーモノマーの混合物を含むものであり得る。
【０２０８】
好適なカチオン性ポリマーとしては、例えば：
−カチオン性ジアリル第４級アンモニウム含有ポリマー、例えば、ジメチルジアリルアンモニウムクロリドホモポリマーおよびアクリルアミドとジメチルジアリルアンモニウムクロリドのコポリマー（当業界（ＣＴＦＡ）では、それぞれ、ポリクオタニウム６およびポリクオタニウム７と称される）など；
−３〜５個の炭素原子を有する不飽和カルボン酸のホモ−およびコ−ポリマーのアミノ−アルキルエステルの鉱酸塩（米国特許第４，００９，２５６号に記載）；
−カチオン性ポリアクリルアミド（国際公開第９５／２２３１１号に記載）
が挙げられる。
【０２０９】
使用され得る他のカチオン性ポリマーとしては、カチオン性多糖ポリマー、例えば、カチオン性セルロース誘導体、カチオン性デンプン誘導体およびカチオン性グアーガム誘導体が挙げられる。
【０２１０】
本発明の組成物における使用に適したカチオン性多糖ポリマーは、式：
Ａ−Ｏ−［Ｒ−Ｎ＋（Ｒ１）（Ｒ２）（Ｒ３）Ｘ−］
のモノマーを含むものであり、
式中：Ａは、アンヒドログルコース残基、例えば、デンプンまたはセルロースアンヒドログルコース残基である。Ｒは、アルキレン、オキシアルキレン、ポリオキシアルキレンもしくはヒドロキシアルキレン基またはその組合せである。Ｒ１、Ｒ２およびＲ３は独立して、アルキル、アリール、アルキルアリール、アリールアルキル、アルコキシアルキルまたはアルコキシアリール基を表し、各基は約１８個までの炭素原子を含むものである。各カチオン性部分の炭素原子の総数（すなわち、Ｒ１、Ｒ２およびＲ３の炭素原子の合計）は好ましくは約２０個以下であり、Ｘはアニオン性対イオンである。
【０２１１】
別の型のカチオン性セルロースとしては、ラウリルジメチルアンモニウム置換エポキシドと反応させたヒドロキシエチルセルロースのポリマー型第４級アンモニウム塩（当業界（ＣＴＦＡ）ではポリクオタニウム２４と称される）が挙げられる。このような物質は、Ａｍｅｒｃｈｏｌ  Ｃｏｒｐｏｒａｔｉｏｎから、例えば商標名Ｐｏｌｙｍｅｒ  ＬＭ−２００で入手可能である。
【０２１２】
他の好適なカチオン性多糖ポリマーとしては、第４級窒素含有セルロースエーテル（例えば、米国特許第３，９６２，４１８号に記載）、およびエーテル化セルロースとデンプンのコポリマー（例えば、米国特許第３，９５８，５８１号に記載）が挙げられる。
【０２１３】
使用され得る特に好適な型のカチオン性多糖ポリマーは、カチオン性グアーガム誘導体、例えば、グアーヒドロキシプロピルトリメチルアンモニウムクロリド（ＲｈｏｄｉａからＪＡＧＵＡＲ  商標シリーズで市販）である。かかる物質の例は、ＪＡＧＵＡＲ  Ｃ１３Ｓ、ＪＡＧＵＡＲ  Ｃ１４、ＪＡＧＵＡＲ  Ｃ１５、ＪＡＧＵＡＲ  Ｃ１７およびＪＡＧＵＡＲ  Ｃ１６  Ｊａｇｕａｒ  ＣＨＴならびにＪＡＧＵＡＲ  Ｃ１６２である。
【０２１４】
上記のカチオン性ポリマーの任意の混合物も使用され得る。
【０２１５】
カチオン性ポリマーは、一般的に、本発明のヘアシャンプー組成物中に該組成物の総重量に対するカチオン性ポリマーの総重量で０．０１〜５％、好ましくは０．０５〜１％、より好ましくは０．０８〜０．５％のレベルで存在させる。
【０２１６】
本発明の洗濯用組成物に使用される該ポリマーの量は、組成物全体の重量に対して好適には０．００１〜０．５ｗｔ％、好ましくは０．００５〜０．４ｗｔ％、より好ましくは０．０５〜０．３５ｗｔ％、最も好ましくは０．１〜０．２５ｗｔ％である。好ましいポリマーの一例はＦｌｏｓｏｆｔ  ２７０ＬＳ（ＳＮＦ製）である。
【０２１７】
微量成分：
本発明による組成物に含めるあってもよいさらなる成分としては、美容組成物における使用が知られた以下の慣用的な補助物質：乳化剤、湿潤剤、懸濁剤、レオロジー剤、真珠光沢剤、乳濁剤、塩、香料、緩衝剤、着色剤、エモリエント剤、保湿剤、気泡安定剤、日焼け止め物質、抗菌剤、保存料、酸化防止剤、ならびに天然油およびエキスが挙げられ得る。これらの一部または全部を該組成物の大部分に存在させ得るとともに、一部を有益剤として有益薬剤送達粒子中に存在させる。
【０２１８】
遮光性染料：
あってもよい遮光性染料を、本発明の毛髪用および洗濯用組成物に使用してもよい。好ましい染料はスミレ色または青色に見える。遮光性染料は、基材の黄ばみに関するさまざまな機能を果たし得る。例えば、洗濯用組成物では、不飽和の第４級アンモニウム化合物（あれば）は、ある程度のＵＶ光および／または遷移金属イオン触媒型ラジカル自己酸化に供され、衣類の黄ばみのリスクを伴うが、遮光性染料は、この原因による黄ばみのリスクを低減させる。
【０２１９】
種々の遮光性染料が種々のレベルの発色をもたらす。したがって、本発明の組成物中に存在する遮光性染料レベルは遮光性染料の型に依存する。本発明に適した好ましい概ねの範囲は、組成物全体の重量に対して０．００００１〜０．１ｗｔ％、より好ましくは０．０００１〜０．０１ｗｔ％、最も好ましくは０．０００５〜０．００５ｗｔ％である。
【０２２０】
本発明がさらに理解され、実施され得るように、本発明を以下の実施例に関してさらに説明する。実施例において、本明細書の他の部分と同様、パーセンテージはすべて、特に指定のない限り重量基準である。
【実施例】
【０２２１】
実施例１：衣類上への粒子の沈着性能
１−エチル−３−（３−ジメチルアミノプロピル）カルボジイミドハイドロジェンクロリド（ＥＤＡＣ）はＡｌｆａ  Ａｅｓｏｒから入手し、他のすべての化学薬品はＳｉｎｏｐｈａｒｍ  Ｃｈｅｍｉｃａｌ  Ｒｅａｇｅｎｔ  Ｃｏ．，Ｌｔｄ．から入手した。
【０２２２】
ａ）カルボキシル官能性ポリスチレン粒子（３．６μｍ）の合成
カルボキシル官能化ポリスチレン粒子を分散共重合によって合成した。５００ｍＬ容の３つ口フラスコに１４０ｍＬのエタノールと、３８．０ｇのスチレン、１．４ｇのアクリル酸および３．０ｇのポリ（Ｎ−ビニルピロリジエン）を含む１２．０ｍＬのＤＩ水とを仕込んだ。窒素ブランケットおよび５００ｒｐｍの撹拌速度を維持した。この溶液を、窒素を１．０時間起泡させることにより脱酸素処理した。脱酸素処理の終了後、温度を７０℃まで上昇させ、この溶液に６．０ｇのＡＩＢＮを添加した。反応液を７０℃で２０時間維持した。室温まで冷却した後、ラテックスを１００００ｒｐｍで１５分間遠心分離し、上清みをデカンテーションにより除去した。このラテックス粒子を１００ｍＬのエタノール中に再分散させ、１００００ｒｐｍで１５分間遠心分離し、上清みをデカンテーションにより除去した。次いで、このラテックスをエタノール中にに再分散させ、再度遠心分離し、上清みをデカンテーションにより除去し、カルボキシル官能性ポリエステル粒子を収集した。
【０２２３】
ｂ）ラテックス粒子の精製
カルボキシル官能性ポリエステル粒子（３．６μｍ）を以下の手順によって精製した。
【０２２４】
工程１：１．０ｍＬのラテックスを０．５ｍＬのｐＨ７．０１のバッファーで希釈し、１００００ｒｐｍで１５分間遠心分離した。ｐＨ７のバッファー中での洗浄を１回繰り返した。
【０２２５】
工程２：上清みをデカンテーションにより除去し、ラテックスをＤＩ水中に再分散させた。この溶液を１００００ｒｐｍで１５分間、再度遠心分離し、上清みをデカンテーションにより除去した。また、脱イオン水中での洗浄を１回繰り返した。
【０２２６】
ｃ）ＥＤＡＣカップリングによるラテックス粒子（３．６μｍ）上への多糖のグラフト化
ＥＤＡＣカップリングによる直接化学的カップリングを、ＰＳ粒子上への多糖のグラフト化に使用した。
【０２２７】
上記の精製ラテックスを、５．５％（ｗ／ｗ）の固形分で５００ｍＬのＤＩ水中に再分散させた。２５ｍＬの脱イオン水と０．２８ｇのＥＤＡＣを４．５７ｍＬの上記の精製ラテックス（５．５％固形分）に添加し、得られた混合物を２５℃で３時間撹拌した。次いで、ラテックスを１０００ｒｐｍで１０分間遠心分離し、ｐＨ７のバッファーと脱イオン水を用いて実施例１０ｂに示した工程１と２に従って精製した。次いで、ラテックスを２０ｍＬの脱イオン水中に再分散させた。
【０２２８】
多糖溶液（０．９ｇ／Ｌ）を別途調製し、２５℃で３時間撹拌し、分散したゲル状物質（あれば）の完全な溶解を確実にした。１０ｍＬのＥＤＡＣ修飾ＰＳ粒子を５．６または６６．７ｍＬの多糖溶液と、それぞれ、ＰＳ粒子に対する多糖の供給比を０．０５：１または０．６：１で混合した。次いで、混合物を４５℃で２４時間撹拌した。その後、ラテックスを１００００ｒｐｍで１５分間遠心分離し、ｐＨ７のバッファーと脱イオン水中で、この場合も実施例１０ｂに示した１と２に従って精製した。最後にラテックスを１０ｍＬの脱イオン水中に再分散させ、１．０％（ｗ／ｗ）の固形分を有する多糖グラフト粒子の最終ラテックス分散液を得た。
【０２２９】
ｄ）比較例（表面結合多糖なしのポリスチレンラテックス）の調製
多糖の付加なしの比較（対照）試料を、実施例１ａに示したものと同一の手順に従って調製した。ラテックスの最終固形分を１．０％（ｗ／ｗ）に調整した。
【０２３０】
ポリスチレンラテックス（３．６μｍ，多糖ありまたはなし）の送達を、ドデシルベンゼンスルホン酸ナトリウム（ＬＡＳ）およびＳｙｎｐｅｒｏｎｉｃ  Ａ７を界面活性剤ストック液として使用し、定温振盪装置（ＴＨＺプラットフォーム型，Ｓｈａｎｇｈａｉ  Ｊｉｎｇ  Ｈｏｎｇ  ｌａｂｏｒａｔｏｒｙ  ｉｎｓｔｒｕｍｅｎｔ  Ｃｏ．，Ｌｔｄ．製）を用いて評価した。
【０２３１】
ｅ）ストック溶液の調製
界面活性剤ストック液を、ＬＡＳ（５．０ｇ）とＳｙｎｐｅｒｏｎｉｃ  Ａ７（５．０ｇ）を脱イオン水に、総量が１．０リットルになるまで溶解させることにより調製した。最終溶液の界面活性剤濃度は１０ｇ／Ｌである（５０％ＬＡＳ，５０％Ｓｙｎｐｅｒｏｎｉｃ  Ａ７）。ベースバッファーストックを、炭酸ナトリウム（７．５４６ｇ）と重炭酸ナトリウム（２．４１９ｇ）を脱イオン水に、総量が１．０リットルになるまで溶解させることにより調製した。ベースバッファー濃度は０．１Ｍである。
【０２３２】
ｆ）ボトル洗浄手順
定温振盪装置を使用し、沈着性能評価のための洗浄手順をシミュレーションした。典型的な手順を以下に記載した。
【０２３３】
グラフト多糖ありまたはなしの６００ｐｐｍのポリスチレンラテックス（３．６μｍ）を含有する５５ｍＬのモデル洗浄液（１．０ｇ／Ｌの界面活性剤および０．０１Ｍのベースバッファー）を１２０ｍＬのボトル内で調製し、５．０ｍＬのアリコートを取り出し、吸光度を４００ｎｍで記録した。この吸光度の値は、このボトル洗浄法前の洗浄溶液中の１００％の粒子を表す。
【０２３４】
次いで、１枚（２０×２０ｃｍ）の非蛍光ニットポリエステル（およそ５．０ｇ）または３枚の（１０×１０ｃｍ）の非蛍光綿織布（全部でおよそ４．５ｇ）をボトル内に入れ、ボトルを密封した。振盪器の浴を４０℃まで加熱し、ボトルをその内部に固定し、１２５ｒｐｍで３０分間振盪させ、メイン洗浄をシミュレーションした。次いで織布を取り出し、手で絞り、メイン洗浄液の１０．０ｍＬのアリコートを取り出し、吸光度を４００ｎｍで記録した。織布に吸着したポリスチレンラテックスの量は、メイン洗浄ステージの前／後の濁度の差により求めることができた。
【０２３５】
次いで、ボトルを充分に洗浄した。絞った織布をボトルに戻し、５０ｍＬのＤＩ水を添加した。ボトルを４０℃で１０分間、１２５ｒｐｍにて振盪させ、すすぎ手順をシミュレーションした。次いで織布を取り出し、再度手で絞った。すすぎ液の１０．０ｍＬのアリコートを取り出し、吸光度を４００ｎｍで記録した。吸収されたポリスチレンラテックスがすすぎ第１ステージで織布から失われた量は濁度により求めることができた。すすぎ手順を１回繰り返し、ポリスチレンラテックスがすすぎ第２ステージで織布から失われた量を求めることができた。
【０２３６】
ポリエステル上へのラテックス粒子モデル系の沈着の結果を以下の表に示す：
【表１】
2014529648.tif 000002
【０２３７】
［ａ］ＰＳ粒子に対する多糖の供給比は０．６：１である。
【０２３８】
［ｂ］溶媒は８０％トルエンおよび２０％エタノールである。他のすべての粘度データでは、溶媒は水である。
【０２３９】
［ｃ］研究室での解析の結果。
【０２４０】
実施例２：綿上への粒子の沈着：
以下の結果は、実施例１のラテックス粒子を綿上に沈着させた場合に得られたものである：
【表２】
2014529648.tif 000003
【０２４１】
［ａ］：ＰＳ粒子に対する多糖の供給比は０．０５である；
［ｂ］研究室での解析の結果
以下の表に、実施例１と２についてまとめた結果の一部を示す。表中、沈着パーセンテージは、ポリエステルおよび綿のどちらの場合も、すすぎ後に記録したものである。本発明による粒子（デキストランを有するもの）は、ポリエステルおよび綿のどちらに対しても優れた沈着を示すが、比較例（ＨＥＣ使用）では、綿に対しては良好な沈着が得られるが、ポリエステルに対しては良好な沈着が得られないことがわかる。
【表３】
2014529648.tif 000004
【０２４２】
実施例３：
メラミンホルムアルデヒドシェル形成による香料封入体上へのデキストランの表面結合
予備形成メラミンホルムアルデヒド香料封入体は１５ミクロンのサイズであり、Ｇｉｖａｕｄａｎ  Ｌｉｍｉｔｅｄから入手した。それぞれ、粒子固形分は４１．６ｗｔ％であり、香料固形分は２８．０ｗｔ％であった。デキストランはＡｌｄｒｉｃｈ（カタログ番号３１３９８）から取得した。
【０２４３】
以下の手順は、さらなるメラミンホルムアルデヒド（ＭＦ）シェルの形成によって表面にデキストランを結合させるための合成的修飾の概略を示す：
ａ）プレポリマーの調製
１００ｍｌ容の三角フラスコに、１９．５ｇのホルマリン（３７ｗｔ％水性ホルムアルデヒド）と４４．０ｇの水を添加した。溶液のｐＨを、０．３ｇの５ｗｔ％水性炭酸ナトリウムを用いて８．９に調整した。１０ｇのメラミンと０．６４ｇの塩化ナトリウムを添加し、混合物を室温で１０分間撹拌した。混合物を６５℃まで加熱し、透明になるまで撹拌した。この混合物を、以下、本明細書において「プレポリマー（１）」と称する。
【０２４４】
ｂ）メラミンホルムアルデヒド香料封入体に対するデキストラン結合
デキストランの１ｗｔ％溶液を、１．０ｇのデキストランを９９．０ｇの脱イオン水にオービタルシェーカー（ＶＷＲ  Ｓｔａｎｄａｒｄ  ５０００  Ｓｈａｋｅｒ，番号４の設定）で一晩振盪させることによって溶解させることにより調製した。５０ｇのこのデキストラン溶液を、オーバーヘッドスターラーおよび冷却器を取り付けた２５０ｍｌ容丸底フラスコに移した。２３．６ｇのメラミンホルムアルデヒド封入体のスラリー（４１．６ｗｔ％の粒子固形分）を添加し、混合物を撹拌しながら７５℃まで加熱した。新たに調製した０．９ｇのプレポリマー（１）溶液を添加し、およそ２ｇの１０ｗｔ％ギ酸水溶液を用いてｐＨを４．１に調整した。次いで混合物を７５℃で２時間撹拌した。次いで溶液を冷却し、およそ６ｇの５ｗｔ％炭酸ナトリウム水溶液を用いてｐＨ７に調整した。
【０２４５】
さらなる２ｗｔ％のメラミンホルムアルデヒドシェルと５ｗｔ％（最終粒子の重量に対して）のデキストランを含む１０ｗｔ％の封入体固形物からなる最終分散液（およそ１００ｇ）が得られた。
【０２４６】
実施例４：シャンプーおよびコンディショナーからの毛髪への沈着
香料封入体（実施例３のもの）に結合しているデキストランのシャンプーおよびコンディショナーからの毛髪への沈着を以下のようにして評価した：
ａ）毛髪ケア配合物の調製
モデルシャンプー配合物を、１２％の活性ＳＬＥＳ、１．６％の活性ＣＡＰＢおよび１％の活性塩化ナトリウムを脱イオン水に添加することにより調製した。これから、グラフト多糖ありまたはなしの１％の活性ＭＦ封入体を含む配合物を調製した。
【０２４７】
モデル毛髪コンディショナー配合物を、乳酸０．３８％、Ｌｅｘａｍｉｎｅ  Ｓ−１３  １．２５％、Ｇｅｎａｍｉｎ  ＢＴＬＦ  ０．８７％、Ｌａｎｅｔｔｅ  Ｓ３  ５％、Ｎｉｐａｇｉｎ  Ｍ  ０．２％を添加することにより調製した。これから、グラフトデキストランありまたはなしの１％の活性ＭＦ封入体を含む配合物をを調製した。
【０２４８】
ｂ）毛髪洗浄、抽出および解析手順
暗褐色の西洋人の毛束（ＤＢＥ）（２インチ長、重量０．３ｇ）をまず、１４％ＳＬＥＳ溶液中でベース洗浄した。次いで、標準的な洗浄プロトコルをシャンプーまたはコンディショナー配合物に使用した。毛束の根元と先端の両方を試験した。
【０２４９】
シャンプー処理：蛇口からの流水（３５〜４０℃）、流速３〜４リットル／分を使用し、毛束を充分に湿らせ、過剰の水を振り切った。毛髪１ｇあたり０．１ｇのシャンプーを各毛束の長さ方向に適用し、両手でこすり合わせることにより３０秒間振り動かした。次いで、毛束を温かい流水で３０秒間すすいだ。過剰の水を振り切り、毛束を放置して乾燥させた。
【０２５０】
コンディショナー処理：蛇口からの流水（３５〜４０℃）、流速３〜４リットル／分を使用し、毛束を充分に湿らせ、過剰の水を振り切った。毛髪１ｇあたり０．２ｇのコンディショナーを各毛束の長さ方向に適用し、両手でこすり合わせることにより１分間振り動かした。次いで、毛束を温かい流水で１分間すすいだ。過剰の水を振り切り、毛束を放置して乾燥させた。
【０２５１】
再現性のため、処理あたり５連の毛束を洗浄した。
【０２５２】
乾燥時、各毛束をガラスバイアル内に入れ、２ｍｌのエタノールを添加して沈着物（あれば）を抽出した。バイアルは２時間ボトル回転させた。各バイアルから１００ｕｌのアリコートを取り出し、９６ウェルプレート内に入れた。次いでプレートを蛍光について、ハイスループットＴｈｅｒｍｏ  Ｖａｒｉｏｓｋａｎ  Ｆｌａｓｈ  Ｆｌｕｏｒｅｓｃｅｎｃｅ  Ｓｐｅｃｔｒｏｍｅｔｅｒで測定した。
【０２５３】
ＭＦ封入体の沈着効率は、濃度に対する較正蛍光および完全沈着での予測蛍光との比較により求めることができた。
【０２５４】
毛髪へのＭＦ封入体の沈着の結果を以下の表に示す：
【表４】
2014529648.tif 000005
【０２５５】
この結果は、香料封入体へのデキストランの表面結合により、シャンプーおよびコンディショナー配合物のどちらからも毛髪への送達が向上するを示す。
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
デキストランを含む１種類以上の送達助剤を外部表面に有し、さらにアミノプラストポリマーである非多糖ポリマーを含む、有益剤送達粒子。
【請求項２】
デキストランが５ｋＤを超える、好ましくは２０ｋＤを超える分子量を有するものである、請求項１または２に記載の粒子。
【請求項３】
香料が含まれている、請求項１または２のいずれかに記載の粒子。
【請求項４】
コアとシェルを備えている、請求項１〜３のいずれかに記載の粒子。
【請求項５】
ａ）請求項１〜４のいずれか一項に記載の粒子、ならびに
ｂ）ヘミセルラーゼ、セルラーゼ、ポリガラクツロナーゼ、キシラナーゼ、ペクチナーゼ、マンナーゼ、ペクチン酸リアーゼ、リグニナーゼ、プルラナーゼ、ペントサナーゼ、アラビノシダーゼ、ヒアルロニダーゼ、コンドロイチナーゼ、ラッカーゼ、グリコシルヒドロラーゼおよびアミラーゼまたはその混合物を含む群から選択される酵素
を含む組成物。
【請求項６】
ａ）請求項１〜４のいずれか一項に記載の粒子、
ｂ）少なくとも１種類のアニオン性または非イオン性界面活性剤、および
ｃ）セルラーゼ、マンナーゼおよびその混合物から選択される酵素
を含む洗濯物トリートメント組成物。
【請求項７】
液状物またはゲル状物である、請求項６に記載の洗濯物トリートメント組成物。
【請求項８】
ａ）請求項１〜４のいずれか一項に記載の粒子、
ｂ）少なくとも１種類のアニオン性または非イオン性界面活性剤
を含むヘアトリートメント組成物。
【請求項９】
ａ）乳化重合を用いてコア−シェル粒子を形成して香油を封入し、
ｂ）デキストランの存在下で該コアシェル−粒子の外部表面上にさらなるポリマー層を形成する、
請求項１〜４のいずれか一項に記載の有益剤送達粒子の作製方法。
【国際調査報告】
2014529648.tif 000006
2014529648.tif 000007